(57)【要約】  ビークル内システムによるパワーリセットシナリオにおけるタイマ継続のための方法について説明される。方法は、パワーリセットを開始することを含む。方法は、パワーリセットの前に緊急呼（たとえばｅＣａｌｌ）と関連付けられるタイマが稼働していたかどうかを決定することも含む。方法はさらに、パワーリセットの前にタイマが稼働していた場合に、タイマ使用を継続することを含む。方法はそれに加えて、パワーリセットの前にタイマが稼働していた場合に、ネットワーク上にビークル内システムを登録することも含む。
2017511986.tif 000002
【特許請求の範囲】
【請求項１】
ビークル内システムによるパワーリセットシナリオにおけるタイマ継続のための方法であって、
パワーリセットを開始することと、
前記パワーリセットの前に緊急呼と関連付けられるタイマが稼働していたかどうかを決定することと、
前記パワーリセットの前に前記タイマが稼働していた場合に、タイマ使用を継続することと、
前記パワーリセットの前に前記タイマが稼働していた場合に、ネットワークに前記ビークル内システムを登録することと
を備える方法。
【請求項２】
前記パワーリセットの前に前記タイマが稼働していた場合に、ロケーションエリア更新手順を開始することをさらに備える請求項１に記載の方法。
【請求項３】
前記パワーリセットの前に前記タイマが稼働していた場合に、アイドル状態に入ることをさらに備える請求項１に記載の方法。
【請求項４】
前記緊急呼がｅＣａｌｌであり、前記タイマが前記ｅＣａｌｌのために始動される、請求項１に記載の方法。
【請求項５】
前記緊急呼がテストまたは再構成ｅＣａｌｌであり、前記タイマが前記テストまたは再構成ｅＣａｌｌのために始動される、請求項１に記載の方法。
【請求項６】
タイマ使用を継続することは、以前に記憶されたタイマ値に基づいて前記タイマを再開させることを備える、請求項１に記載の方法。
【請求項７】
タイマ使用を継続することは、前記タイマを再始動させることを備える、請求項１に記載の方法。
【請求項８】
ビークル内システムであって、
パワーリセットの前に緊急呼と関連付けられるタイマが稼働していたかどうかを決定するタイマ制御回路と、ここにおいて、前記タイマ制御回路は、前記パワーリセットの前に前記タイマが稼働していた場合に、タイマ使用を継続する、
前記タイマ制御回路に結合された通信制御回路と、ここにおいて、前記通信制御回路は、前記パワーリセットの前に前記タイマが稼働していた場合に、ネットワークに前記ビークル内システムを登録する、
を備えるビークル内システム。
【請求項９】
前記通信制御回路は、前記パワーリセットの前に前記タイマが稼働していた場合に、ロケーションエリア更新手順を開始する、請求項８に記載のビークル内システム。
【請求項１０】
前記通信制御回路は、前記パワーリセットの前に前記タイマが稼働していた場合に、前記ビークル内システムをアイドル状態に入らせる、請求項８に記載のビークル内システム。
【請求項１１】
前記緊急呼がｅＣａｌｌであり、前記タイマが前記ｅＣａｌｌのために始動される、請求項８に記載のビークル内システム。
【請求項１２】
前記緊急呼がテストまたは再構成ｅＣａｌｌであり、前記タイマが前記テストまたは再構成ｅＣａｌｌのために始動される、請求項８に記載のビークル内システム。
【請求項１３】
タイマ使用を継続することは、以前に記憶されたタイマ値に基づいて前記タイマを再開させることを備える、請求項８に記載のビークル内システム。
【請求項１４】
タイマ使用を継続することが、前記タイマを再始動させることを備える、請求項８に記載のビークル内システム。
【請求項１５】
パワーリセットシナリオにおけるタイマ継続のためのコンピュータプログラムプロダクトであって、命令を有する一時的でない有形のコンピュータ可読媒体を備え、前記命令は、
ビークル内システムにパワーリセットを開始させるためのコードと、
前記ビークル内システムに、前記パワーリセットの前に緊急呼と関連付けられるタイマが稼働していたかどうかを決定させるためのコードと、
前記ビークル内システムに、前記パワーリセットの前に前記タイマが稼働していた場合に、タイマ使用を継続させるためのコードと、
前記ビークル内システムに、前記パワーリセットの前に前記タイマが稼働していた場合に、ネットワークに前記ビークル内システムを登録させるためのコードと
を備える、コンピュータプログラムプロダクト。
【請求項１６】
前記命令は、前記ビークル内システムに、前記パワーリセットの前に前記タイマが稼働していた場合に、ロケーションエリア更新手順を開始させるためのコードをさらに備える、請求項１５に記載のコンピュータプログラムプロダクト。
【請求項１７】
前記命令は、前記パワーリセットの前に前記タイマが稼働していた場合に、前記ビークル内システムをアイドル状態に入らせるためのコードをさらに備える、請求項１５に記載のコンピュータプログラムプロダクト。
【請求項１８】
前記緊急呼がｅＣａｌｌであり、前記タイマが前記ｅＣａｌｌのために始動される、請求項１５に記載のコンピュータプログラムプロダクト。
【請求項１９】
前記緊急呼がテストまたは再構成ｅＣａｌｌであり、前記タイマが前記テストまたは再構成ｅＣａｌｌのために始動される、請求項１５に記載のコンピュータプログラムプロダクト。
【請求項２０】
タイマ使用を継続することは、以前に記憶されたタイマ値に基づいて前記タイマを再開させることを備える、請求項１５に記載のコンピュータプログラムプロダクト。
【請求項２１】
タイマ使用を継続することは、前記タイマを再始動させることを備える、請求項１５に記載のコンピュータプログラムプロダクト。
【請求項２２】
パワーリセットシナリオにおけるタイマ継続のための装置であって、
パワーリセットを開始するための手段と、
前記パワーリセットの前に緊急呼と関連付けられるタイマが稼働していたかどうかを決定するための手段と、
前記パワーリセットの前に前記タイマが稼働していた場合に、タイマ使用を継続するための手段と、
前記パワーリセットの前に前記タイマが稼働していた場合に、ネットワークに前記装置を登録するための手段と
を備える装置。
【請求項２３】
前記パワーリセットの前に前記タイマが稼働していた場合に、ロケーションエリア更新手順を開始するための手段をさらに備える請求項２２に記載の装置。
【請求項２４】
前記パワーリセットの前に前記タイマが稼働していた場合に、アイドル状態に入るための手段をさらに備える請求項２２に記載の装置。
【請求項２５】
前記緊急呼がｅＣａｌｌであり、前記タイマが前記ｅＣａｌｌのために始動される、請求項２２に記載の装置。
【請求項２６】
前記緊急呼がテストまたは再構成ｅＣａｌｌであり、前記タイマが前記テストまたは再構成ｅＣａｌｌのために始動される、請求項２２に記載の装置。
【請求項２７】
タイマ使用を継続することは、以前に記憶されたタイマ値に基づいて前記タイマを再開させることを備える、請求項２２に記載の装置。
【請求項２８】
タイマ使用を継続することは、前記タイマを再始動させることを備える、請求項２２に記載の装置。
【発明の詳細な説明】
【技術分野】
【０００１】
[0001]本開示は一般に、電子デバイスに関する。より詳細には、本開示は、パワーリセットシナリオにおけるタイマ継続のためのシステムおよび方法に関する。
【背景技術】
【０００２】
[0002]ここ数十年で、電子デバイスの使用は一般的になってきた。特に、エレクトロニクス技術の進歩が、ますます複雑で有用になる電子デバイスの費用を低減させている。費用低減と消費者需要によって、電子デバイスが近代社会において事実上遍在するように電子デバイスの使用が急増している。電子デバイスの使用が拡大したので、電子デバイスの新たな改善された特徴の需要も拡大している。より具体的には、新たな機能を実施し、および／または機能をより速く、より効率的に、もしくはより高信頼に実施する電子デバイスが、しばしば求められる。
【０００３】
[0003]一部の電子デバイスは、他の電子デバイスと通信する。これらの電子デバイスは、電磁信号を送信し得る。たとえば、電話（たとえばセルラー電話、スマートフォン、ビークル（vehicle）に組み込まれた電話など）は、データ信号および／または音声信号を取得し、符号化し、送信し得る。これらの信号は、ネットワークによって受信され得、ネットワークはその信号を目的とする受信先（たとえばサーバ、固定電話、セルラー電話など）に中継し得る。
【０００４】
[0004]しかしながら、緊急呼のシナリオにおいては、特定の困難が生じる。たとえば、緊急通信の接続性の喪失は、緊急サービス提供努力の妨げになるおそれがある。本議論からわかり得るように、緊急通信を改善するシステムおよび方法が有益となり得る。
【発明の概要】
【０００５】
[0005]ビークル内システムによるパワーリセットシナリオにおけるタイマ継続のための方法について説明される。方法は、パワーリセットを開始することを含む。方法は、パワーリセットの前に緊急呼と関連付けられるタイマが稼働していたかどうかを決定することも含む。方法はさらに、パワーリセットの前にタイマが稼働していた場合に、タイマ使用を継続することを含む。方法はそれに加えて、パワーリセットの前にタイマが稼働していた場合に、ネットワークにビークル内システムを登録することも含む。
【０００６】
[0006]方法は、パワーリセットの前にタイマが稼働していた場合に、ロケーションエリア更新手順を開始することを含み得る。方法は、パワーリセットの前にタイマが稼働していた場合に、アイドル状態に入ることを含み得る。
【０００７】
[0007]緊急呼は、ｅＣａｌｌであり得る。タイマは、ｅＣａｌｌのために始動され得る。緊急呼は、テストまたは再構成ｅＣａｌｌであり得る。タイマは、テストまたは再構成ｅＣａｌｌのために始動され得る。
【０００８】
[0008]タイマ使用を継続することは、以前に記憶されたタイマ値に基づいてタイマを再開させることを含み得る。タイマ使用を継続することは、タイマを再始動させることを含み得る。
【０００９】
[0009]ビークル内システムについても説明される。ビークル内システムは、パワーリセットの前に緊急呼と関連付けられるタイマが稼働していたかどうかを決定するタイマ制御回路を含む。タイマ制御回路は、パワーリセットの前にタイマが稼働していた場合に、タイマを継続する。ビークル内システムは、タイマ制御回路に結合された通信制御回路も含む。通信制御回路は、パワーリセットの前にタイマが稼働していた場合に、ネットワークにビークル内システムを登録する。
【００１０】
[0010]パワーリセットシナリオにおけるタイマ継続のためのコンピュータプログラムプロダクトについても説明される。コンピュータプログラムプロダクトは、命令を備えた一時的でない有形のコンピュータ可読媒体を含む。命令は、ビークル内システムにパワーリセットを開始させるためのコードを含む。命令は、ビークル内システムに、パワーリセットの前に緊急呼と関連付けられるタイマが稼働していたかどうかを決定させるためのコードも含む。命令はさらに、ビークル内システムに、パワーリセットの前にタイマが稼働していた場合に、タイマ使用を継続させるためのコードも含む。命令はそれに加えて、ビークル内システムに、パワーリセットの前にタイマが稼働していた場合に、ネットワークにビークル内システムを登録させるためのコードも含む。
【００１１】
[0011]パワーリセットシナリオにおけるタイマ継続のための装置についても説明される。装置は、パワーリセットを開始するための手段を含む。装置は、パワーリセットの前に緊急呼と関連付けられるタイマが稼働していたかどうかを決定するための手段も含む。装置はさらに、パワーリセットの前にタイマが稼働していた場合に、タイマ使用を継続するための手段も含む。装置はそれに加えて、パワーリセットの前にタイマが稼働していた場合に、ネットワークに装置を登録するための手段も含む。
【図面の簡単な説明】
【００１２】
【図１】[0012]パワーリセットシナリオにおけるタイマ継続のためのシステムおよび方法が実装され得る、ビークル内システム（ＩＶＳ）の一構成を示すブロック図。
【図２】[0013]ＩＶＳによるパワーリセットシナリオにおけるタイマ継続のための方法の一構成を示す流れ図。
【図３】[0014]本明細書に開示されるシステムおよび方法によるパワーリセットシナリオを示すスレッド図。
【図４】[0015]パワーリセットシナリオにおけるタイマ継続のためのシステムおよび方法が実装され得るＩＶＳのより具体的な構成を示すブロック図。
【図５】[0016]ＩＶＳによるパワーリセットシナリオにおけるタイマ継続のための方法のより具体的な構成を示す流れ図。
【図６】[0017]ＩＶＳによるパワーリセットシナリオにおけるタイマ継続のための方法の別のより具体的な構成を示す流れ図。
【図７】[0018]パワーリセットシナリオにおけるタイマ継続のためのシステムおよび方法が実装され得る、ｅＣａｌｌオンリーＩＶＳの一構成を示すブロック図。
【図８】[0019]訪問先ネットワークと、ホームネットワークと、サードパーティネットワークとを含み得る、ネットワーク配備の一例を示す図。
【図９】[0020]ｅＣａｌｌオンリーＩＶＳとして動作するように設定され得るＩＶＳの別のより具体的な例を示すブロック図。
【図１０】[0021]電子デバイス内で利用され得る様々な構成要素を示す図。
【発明を実施するための形態】
【００１３】
[0022]ここで、様々な構成について、同様の参照番号が機能的に類似した要素を示し得る図を参照して説明される。本明細書の図中に一般的に説明され、示されるシステムおよび方法は、多種多様な異なる構成で編成および設計され得る。したがって、図中に表されるいくつかの構成に関する以下のより詳細な説明は、特許請求される範囲を限定するように意図されているのではなく、システムおよび方法を表しているにすぎない。
【００１４】
[0023]図１は、パワーリセットシナリオにおけるタイマ継続のためのシステムおよび方法が実装され得る、ビークル内システム（ＩＶＳ：in-vehicle system）１０２の一構成を示すブロック図である。ＩＶＳ１０２は、ビークル（たとえば自動車、トラック、モータサイクル、ボートなど）に組み込まれる電子デバイスであり得る。たとえば、ＩＶＳ１０２は、ダッシュボード、コンソール、および／または天井モジュールに組み込まれ得る。ＩＶＳ１０２は、ネットワーク１１０とワイヤレス通信し得る。ＩＶＳ１０２は、たとえば、ユーザ機器（ＵＥ）、移動局（ＭＳ）、および／または端末の一例であり得る。
【００１５】
[0024]ネットワーク１１０は、通信を中継する１つまたは複数のデバイスを含み得る。ネットワーク１１０の例としては、セルラーネットワーク、パブリックランドモバイルネットワーク（ＰＬＭＮ）、ローカルエリアネットワーク（ＬＡＮ）、ワイドエリアネットワーク（ＷＡＮ）などがある。いくつかの構成では、ネットワーク１１０は、ＩＶＳ１０２から緊急呼応答ポイント（たとえば公共安全応答ポイント（ＰＳＡＰ）１１２）に通信を中継する、１つまたは複数の基地局、ゲートウェイ、ルータ、モデム、スイッチ、サーバなどを含み得る。たとえば、ネットワーク１１０は、ワイヤレス通信ネットワークであり得る。ワイヤレス通信ネットワークは、音声、ビデオ、パケットデータ、メッセージング、ブロードキャストなどの様々な通信サービスを提供するために、広く配備されている。これらのワイヤレスネットワークは、利用可能なネットワーク資源を共用することによって複数のユーザをサポートすることの可能な、多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【００１６】
[0025]ネットワーク１１０は、ＩＶＳ１０２とＰＳＡＰ１１２との間の通信をサポートし得る。ＩＶＳ１０２は、緊急イベントに応答して、緊急呼をかけ得る。緊急呼は、緊急サービス（たとえば警察、消防、医療、または他の緊急サービス）を求める呼であり、緊急サービス呼と呼ばれることもある。場合によっては、緊急呼は、北米における「９１１」や欧州における「１１２」などの公知の緊急電話番号をユーザがダイヤルすることによって開始され得る。緊急呼のためのＩＶＳ１０２とネットワーク１１０との間のシグナリングを効率的に交換することが望ましい場合がある。
【００１７】
[0026]ｅＣａｌｌは、ＩＶＳ１０２において、ビークル内センサのアクティブ化により自動的に、またはビークルの乗員により手動で発せられる緊急呼である。ｅＣａｌｌは、（たとえばユーザが「９１１」をダイヤルすることによって開始される緊急呼に類似した）緊急呼を確立することと、追加データを送ることとを含み得る。ｅＣａｌｌは、アクティブ化されると、通知と関連ロケーション情報とを、最も適切なＰＳＡＰ１１２に、ネットワーク１１０によって供給する。たとえば、ＩＶＳ１０２は、標準化された１４０バイトの関連データセットを送信する音声モデムを含み得る。追加データは、ビークル識別情報、ビークルロケーション、トリガイベントなどを含み得、音声経路に沿って帯域内で、および／または別個のシグナリングもしくはデータ／テキスト転送を介して帯域外で送られ得る。
【００１８】
[0027]次いで、ＩＶＳ１０２は、ユーザ（たとえばビークルの乗員）と最も適切なＰＳＡＰ１１２との間に音声チャネルを確立する。いくつかの構成では、ＩＶＳ１０２は、「ｅＣａｌｌオンリー」ＩＶＳであり得る。たとえば、ネットワーク１１０の輻輳を低減させるために、多くのビークルはｅＣａｌｌオンリーＩＶＳを備えることができ、ｅＣａｌｌオンリーＩＶＳはｅＣａｌｌを開始するまでネットワーク１１０への登録をしない。他の構成では、ＩＶＳ１０２は、「ミックスモードｅＣａｌｌ」ＩＶＳであり得る。ミックスモードｅＣａｌｌＩＶＳは、緊急ｅＣａｌｌならびに非緊急のサブスクリプションベースの呼を実施するために使用され得る。
【００１９】
[0028]より詳細には、ビークルと関連付けられ、万一事故が発生した場合に緊急呼をかけることを唯一の目的として設計されたような専用ｅＣａｌｌデバイスが、一般に、ｅＣａｌｌオンリーモードで動作するデバイスと呼ばれる。すなわち、ｅＣａｌｌオンリーモードでは少なくとも、デバイスが緊急呼を開始しようと試みているとき、および緊急呼の間を除いて、またはデバイスがテストもしくは再構成接続を開始しようと試みているときを除いて、ＰＬＭＮ上への登録を含むモビリティ管理手順をデバイスが実施しないことが必要である。
【００２０】
[0029]ｅＣａｌｌオンリーモードにあるＩＶＳ１０２（たとえば「ｅＣａｌｌオンリーＩＶＳ」）は、ｅＣａｌｌがトリガされるまではネットワーク１１０上に登録しない。ｅＣａｌｌ緊急トリガの場合、２つの動作が実施され得、すなわち、ＩＶＳがモバイルネットワーク上に登録しようと試み得、またＩＶＳがｅＣａｌｌを開始し得る。従来は、ｅＣａｌｌのためのネットワーク１１０上への登録が実施され、次いで、緊急呼を開始するためのセットアップ情報が、ＩＶＳ１０２からネットワーク１１０に送られている。
【００２１】
[0030]ｅＣａｌｌシステムの１つの特徴は、ｅＣａｌｌオンリーデバイスが、１つまたは複数のタイマ１０６（たとえば１２時間で満了するＴ３２４２タイマおよび／またはＴ３２４３タイマ）の持続時間の間、ネットワーク１１０上に登録された状態に留まり得ることである。登録された状態に留まることにより、緊急時応答者がＩＶＳ１０２に発呼して、ユーザ（たとえばビークルの乗員）と通信し、またはデータ更新を要求することが可能になり得る。
【００２２】
[0031]緊急事態（たとえばビークルの衝突）においては、ＩＶＳ１０２への電力供給が一時的に途絶されることがある。たとえば、ビークル内の電気系統が、衝突によって途絶され、次いで回復することがあり、またはビークルがオフにされて、再度オンにされることがある。ＩＶＳ１０２をパワーオンまたはアクティブ化すること（たとえばＩＶＳに電力を供給すること）は、本明細書では「パワーリセット（power reset）」と呼ばれることがある。
【００２３】
[0032]パワーリセットシナリオにおいて、ＩＶＳ（たとえばｅＣａｌｌオンリータイプのサブスクリプションを備えたＩＶＳ）についてある特定の問題が生じることがある。周知の手法では、パワーリセット後に、１つまたは複数のタイマがリセットされる（および稼働していない）。たとえば、第３世代パートナーシッププロジェクト（３ＧＰＰ（登録商標））技術仕様書（ＴＳ）２４．００８、セクション４．２．１．１は、「パワーオン後のサービス状態の選択」について取り上げている。詳細には、セクション４．２．１．１は、「（ＵＳＩＭ［（汎用加入者識別モジュール）］内に設定された情報によって決定される）ｅＣａｌｌオンリー基地局の場合、タイマＴ３２４２およびタイマＴ３２４３は、パワーオン時に満了しているものと考えられる」と述べている。また、３ＧＰＰ  ＴＳ  ２４．００８のセクション４．４．７は、「ｅＣａｌｌ非アクティブ状態手順」について説明している。詳細には、セクション４．４．７は、「基地局は、ｅＣＡＬＬ  ＩＮＡＣＴＩＶＥ状態にある間、可能なサービスネットワーク内の可能なサービスセルの認識を維持するが、ネットワークを用いたＭＭ［（モビリティ管理）シグナリング］を開始せず、どんなページング要求も無視する」と述べている。「ＭＭシグナリング」は、たとえば、ロケーションエリア更新手順用シグナリングおよび／またはＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）デタッチ手順用シグナリングを含み得る。したがって、これらの周知の手法においてＩＶＳで電力が途絶した場合、Ｔ３２４２／Ｔ３２４３タイマがリセットされ、ＩＶＳがブートアップしてｅＣａｌｌ非アクティブ状態に至る。非アクティブ状態では、ＩＶＳは、ネットワークに登録されず、どんなページング要求も無視する。たとえば、ＩＶＳは、モバイル着信（ＭＴ）ページングを無視し得、または着呼もしくは受信テキストがあるかどうかページングチャネルを監視し得ない。ｅＣａｌｌ非アクティブ状態にある間、ＰＳＡＰは、ＩＶＳをページングすることができない。ＩＶＳをネットワーク上に再登録するようにし、ＩＶＳがページング可能になることを可能にするために、別のｅＣａｌｌが開始される必要があり得る。これは、緊急事態においては望ましくない場合がある。たとえば、ビークルの乗員は、身動きが取れず、別のｅＣａｌｌを開始することができない可能性がある。
【００２４】
[0033]本明細書に開示されるシステムおよび方法は、パワーリセットシナリオにおいて生じるこれらの問題に対処し得る。たとえば、本明細書に開示されるシステムおよび方法は、万一ＩＶＳ１０２のパワーリセットが発生した場合に、タイマ１０６（たとえばｅＣａｌｌタイマ、テストまたは再構成ｅＣａｌｌタイマ、Ｔ３２４２タイマおよび／またはＴ３２４３タイマ）の継続を可能にし得る。たとえば、タイマ１０６（たとえばＴ３２４２タイマおよび／またはＴ３２４３タイマ）が稼働していた間にＩＶＳ１０２がアクティブ化解除され、パワーリセットされた場合、電力復旧時に、ＩＶＳ１０２は、タイマ１０６（たとえばＴ３２４２タイマおよび／もしくはＴ３２４３タイマ）をリセットしないことがあり、ロケーションエリア更新手順を開始し得、アイドル状態（たとえばＭＭ  ＩＤＬＥ状態）に入り得、ならびに／またはタイマ１０６（たとえばＴ３２４２タイマおよび／もしくはＴ３２４３タイマ）の残りの持続時間の間、登録された状態のままであり得る。タイマ１０６の残りの持続時間は、パワーリセット前のタイマ１０６の値によって決定され得る。
【００２５】
[0034]図１に示される構成では、ＩＶＳ１０２は、タイマ制御モジュール１０４と、通信制御モジュール１０８とを含む。ＩＶＳ１０２の要素（たとえばタイマ制御モジュール１０４および／または通信制御モジュール１０８）のうちの１つまたは複数が、ハードウェア（たとえば回路）として実装されてもよく、ハードウェアとソフトウェア（たとえばプロセッサと命令）の組合せとして実装されてもよい。図中に提供されるブロック図では、矢印および／またはラインが、構成要素間または要素間の結合を示し得る。たとえば、タイマ制御モジュール１０４は、通信制御モジュール１０８に結合され得る。本明細書では、「結合する」または「結合すること」という用語の変形は、直接的または間接的な接続を意味し得る。たとえば、タイマ制御モジュール１０４は、（たとえば介在する要素を伴わずに）通信制御モジュール１０８に直接的に接続されてもよく、（たとえば１つまたは複数の介在する要素を伴って）通信制御モジュール１０８に間接的に接続されてもよい。
【００２６】
[0035]緊急呼は、トリガされ得る。たとえば、緊急呼は、ビークル内のビークルセンサもしくは衝突センサに基づいて、および／または受け取られた入力（たとえばボタン押下、音声指令など）に基づいて、トリガされ得る。いくつかの構成では、ＩＶＳ１０２は、衝突センサおよび／または１つもしくは複数の入力デバイス（たとえばボタン、タッチスクリーン、マイクロホン、カメラなど）を含み得、それらが緊急呼をトリガし得る。それに加えてまたはその代わりに、ＩＶＳ１０２は、ビークルセンサもしくは衝突センサおよび／または１つもしくは複数の入力デバイスに結合され得る。ＩＶＳ１０２は、ビークルセンサもしくは衝突センサおよび／または１つもしくは複数の入力デバイスからの１つまたは複数の信号に基づいて、緊急呼をトリガし得る。緊急呼の例としては、正規の緊急呼（たとえばｅＣａｌｌ）、およびテストまたは再構成緊急呼（たとえばテストまたは再構成ｅＣａｌｌ）があり得る。正規の緊急呼（たとえばｅＣａｌｌ）は、実際の緊急イベント（たとえばビークルの衝突、医療的緊急時、犯罪、火災など）に基づいてトリガされる緊急呼であり得る。テストまたは再構成緊急呼（たとえばテストまたは再構成ｅＣａｌｌ）は、テストまたは再構成目的でトリガされる緊急呼である。
【００２７】
[0036]緊急呼がトリガされると、通信制御モジュール１０８は、緊急呼を開始するために、ネットワーク１１０に１つまたは複数の信号を送り得る。たとえば、通信制御モジュール１０８は、緊急呼を遂行するために、ネットワーク１１０に登録メッセージおよび／または他のシグナリングを送り得る。
【００２８】
[0037]タイマ制御モジュール１０４は、１つまたは複数のタイマ１０６を制御し得る。緊急呼（たとえばｅＣａｌｌ）がトリガされると、タイマ制御モジュール１０４は、１つまたは複数のタイマ１０６を始動させ得る。したがって、タイマ１０６は、緊急呼と関連付けられ得る。たとえば、タイマ制御モジュール１０４は、クロック信号を提供するクロックを含み得、および／またはそのクロックに結合され得る。タイマ制御モジュール１０４は、タイマ１０６にクロック信号に基づいて時間の追跡（たとえば計数）を開始させることによって、タイマ１０６を始動させ得る。タイマ１０６の例としては、正規の緊急呼（たとえばｅＣａｌｌ）用タイマ、およびテストまたは再構成緊急呼（たとえばテストまたは再構成ｅＣａｌｌ）用タイマがある。したがって、タイマ制御モジュール１０４は、タイマ１０６を、正規の緊急呼（たとえばｅＣａｌｌ）のために始動させ得、および／またはタイマ制御モジュール１０４は、同じもしくは異なるタイマ１０６を、テストもしくは再構成緊急呼（たとえばテストもしくは再構成ｅＣａｌｌ）のために始動させ得る。タイマ１０６のより具体的な例としては、３ＧＰＰ仕様書によるＴ３２４２タイマおよびＴ３２４３タイマがある。
【００２９】
[0038]いくつかの構成では、タイマ制御モジュール１０４は、タイマ１０６の状態を記録し得る。たとえば、タイマ制御モジュール１０４は、タイマ１０６が始動された、および／または稼働していたことを示すタイマフラグをセットし得る（たとえばタイマフラグをメモリ内に記憶させ得る）。たとえば、タイマ１０６が始動されると、タイマ１０６が始動された、および／または稼働していたことを示すようにタイマフラグがセットされ得る。タイマが満了した（たとえばしきい値時間量に達した）場合、タイマ制御モジュール１０４は、タイマ１０６が稼働していないことを示すようにタイマフラグをセットし得る。それに加えてまたはその代わりに、タイマ制御モジュール１０４は、タイマ１０６の量を示すタイマ値を（たとえばメモリ内に）記憶させ得る。タイマ値は、定期的に（たとえば定期的な間隔で）更新されてもよく、連続して更新されてもよい。いくつかの構成では、タイマ１０６が始動されなかった、または稼働していなかったことを示すように、タイマ値がヌルに、または特定の値（たとえばしきい値を上回る値、負の量など）にセットされ得る。いくつかの構成では、パワーダウン（たとえば電力喪失、アクティブ化解除など）の場合にタイマフラグおよび／またはタイマ値を維持するために、タイマフラグおよび／またはタイマ値が、不揮発性メモリ内に記憶され得る。
【００３０】
[0039]いくつかの構成では、タイマ制御モジュール１０４はそれに加えて、タイマ値と関連するタイムスタンプ値を記憶させることもできる。たとえば、ＩＶＳ１０２は、時刻を示す時刻クロックを含んでもよく、ＩＶＳ１０２は、別のデバイスから時刻を受け取ってもよい。タイムスタンプは、タイマ値が記憶された時点での時刻を示し得る。
【００３１】
[0040]タイマ１０６が稼働している間、通信制御モジュール１０８は、ネットワーク１１０上への登録を維持し得る。たとえば、通信制御モジュール１０８は、タイマ制御モジュール１０４から、タイマ１０６が稼働しているか、それとも停止されているかを示すインジケータを取得し得る。タイマ１０６が稼働している間、通信制御モジュール１０８は、ネットワーク１１０への登録を維持するために、ネットワーク１１０にシグナリングを送り、および／またはネットワーク１１０からシグナリングを受信し得る。たとえば、通信制御モジュール１０８は、登録を開始および／または維持するために、ネットワーク１１０にモビリティ管理シグナリングを送り得る。
【００３２】
[0041]上で説明されたように、ＩＶＳ１０２は、場合によっては、電力途絶を被ることがある。たとえば、ＩＶＳ１０２は、衝突、パワーダウン（たとえばユーザがビークルをオフにすること）、および／またはバックアップもしくは非常用電力への切替えの結果として、動作を継続するための電力を喪失することがある。別の例では、電力途絶は、ＩＶＳ１０２上でのソフトウェアおよび／またはファームウェアのクラッシュのため引き起こされることがある。たとえば、ソフトウェアおよび／またはファームウェアのクラッシュは、ＩＶＳ１０２上でのパワーリセットを引き起こすことがある。
【００３３】
[0042]ＩＶＳ１０２は、パワーリセットを開始し得る。たとえば、ＩＶＳ１０２は、電力が復旧されると（たとえば衝突後に電力が復旧されると、ユーザがビークルをオンにすると、および／もしくはバックアップ／非常用電力が供給されると）、ならびに／またはソフトウェアおよび／もしくはファームウェアが再始動されると、電力を取り戻し得る。パワーリセットを開始する際に、ＩＶＳ１０２は、たとえば、タイマ制御モジュール１０４に、および／または通信制御モジュール１０８に、電力を供給し得る。ＩＶＳ１０２はまた、いくつかの構成では、１つまたは複数の初期化手順および／またはブート手順を起動させ得る。
【００３４】
[0043]タイマ制御モジュール１０４は、パワーリセットの前に緊急呼と関連付けられるタイマ１０６が稼働していたかどうかを決定し得る。いくつかの構成では、タイマ制御モジュール１０４は、パワーリセットの前にタイマ１０６が稼働していたかどうかを示すタイマフラグを取得（メモリから読出し）し得る。タイマ１０６が始動された、または稼働していたことを示すようにタイマフラグがセットされている場合、タイマ制御モジュール１０４は、パワーリセットの前にタイマ１０６が稼働していたと決定し得る。タイマ１０６が始動されなかった、または稼働していなかったことをタイマフラグが示す場合、タイマ制御モジュール１０４は、パワーリセットの前にタイマ１０６が稼働していなかったと決定し得る。
【００３５】
[0044]他の構成では、タイマ制御モジュール１０４は、以前に記憶されたタイマ値を取得し得る。たとえば、タイマ制御モジュール１０４は、以前に記憶されたタイマ値をメモリから取得し得る。以前に記憶されたタイマ値が、しきい値（たとえば満了量）未満の値を示す場合、タイマ制御モジュール１０４は、パワーリセットの前にタイマ１０６が稼働していたと決定し得る。ヌル値、またはタイマが始動されなかった、もしくは稼働していなかったことを示す何らかの他の値（たとえばしきい値を上回る値、負の量など）をタイマ値が示す場合、タイマ制御モジュール１０４は、パワーリセットの前にタイマが稼働していなかったと決定し得る。
【００３６】
[0045]タイマ制御モジュール１０４が、パワーリセットの前にタイマ１０６が稼働していたと決定した場合、タイマ制御モジュール１０４は、タイマ使用を継続し得る。いくつかの構成では、タイマ制御モジュール１０４は、タイマを再始動させ得る。たとえば、タイマ制御モジュール１０４は、タイマ１０６を初期値または０から新たに始動させ得る。
【００３７】
[0046]他の構成では、タイマ制御モジュール１０４は、以前に記憶されたタイマ値に基づいてタイマ１０６を再開させ得る。一手法では、タイマ制御モジュール１０４は、以前に記憶されたタイマ値からタイマを再開させ得る。たとえば、タイマ制御モジュール１０４は、以前に記憶されたタイマ値をメモリから取得し得、以前に記憶されたタイマ値からタイマ１０６を始動させ得る。別の手法では、タイマ制御モジュール１０４は、以前に記憶されたタイマ値に追加時間を加えた値からタイマ１０６を再開させ得る。たとえば、追加時間は、以前に記憶されたタイマ値が記録された時刻と、現在の時刻との時差であり得る。たとえば、ＩＶＳ１０２は、この追加時間を、以前に記憶されたタイマ値が記録された時間と関連する（たとえばメモリ内の）タイムスタンプと、現在の時間との間の差を取ることによって決定し得る。この手法では、ＩＶＳ１０２は、（たとえばバックアップバッテリによる）電力喪失の間中ずっと時刻を維持する時刻クロックを含み得、および／または別のデバイスから時刻を受け取り得る。追加時間は、現在の時刻からタイムスタンプを減算することによって導出され得る。したがって、タイマ制御モジュール１０４は、電力途絶が生じていなかったかのように時間値を提供するように、タイマ１０６を再開させ得る。
【００３８】
[0047]ＩＶＳ１０２は、パワーリセットの前にタイマが稼働していた場合に、ネットワーク１１０上にＩＶＳ１０２を登録し得る。たとえば、通信制御モジュール１０８が、ネットワーク１１０上に登録するために、ネットワーク１１０にシグナリングを送り得る。たとえば、通信制御モジュール１０８は、ネットワーク１１０上に登録するために、ネットワーク１１０にモビリティ管理シグナリングを送り得る。
【００３９】
[0048]ＩＶＳ１０２はオプションで、ロケーションエリア更新手順を開始し得る。たとえば、パワーリセットの前にタイマが稼働していた場合に、タイマ制御モジュール１０４または通信制御モジュール１０８が、ロケーションエリア更新手順を開始し得る。たとえば、タイマ制御モジュール１０４は、信号を通信制御モジュール１０８に送ることによってロケーションエリア更新手順を開始し得、通信制御モジュール１０８は、ロケーションエリア更新手順を開始するために、ネットワーク１１０にシグナリングを送り得る。あるいは、通信制御モジュール１０８は、タイマ制御モジュール１０４から、パワーリセットの前にタイマ１０６が稼働していたことを示すインジケータを受け取り得、ロケーションエリア更新手順を開始するために、ネットワーク１１０にシグナリングを送り得る。シグナリングは、ＩＶＳ１０２のロケーションエリアを示し得る。
【００４０】
[0049]ＩＶＳ１０２はオプションで、パワーリセットの前にタイマ１０６が稼働していた場合に、アイドル状態に入り得る。たとえば、ＩＶＳ１０２は、ネットワーク上に登録を維持し得る（たとえば登録された状態に留まり得る）。いくつかの構成では、タイマ制御モジュール１０４が、通信制御モジュール１０８にネットワーク上への登録を維持するように指示するインジケータを通信制御モジュール１０８に送ることによって、ＩＶＳ１０２をアイドル状態に入らせ得る。他の構成では、通信制御モジュール１０８が、タイマ制御モジュール１０４から、パワーリセットの前にタイマ１０６が稼働していたことを示すインジケータを受け取り得る。この場合、通信制御モジュール１０８は、ネットワーク上への登録を維持することによって、ＩＶＳ１０２をアイドル状態に入らせ得る。アイドル状態は、ネットワーク上にＩＶＳ１０２が登録されないｅＣａｌｌ非アクティブ状態とは異なり得る。アイドル状態にあることにより、ＩＶＳ１０２が、ネットワーク１１０からページングメッセージ、データ、および／または呼を受信することが可能になり得る。したがって、ＩＶＳ１０２は、データ（たとえばビークルＶＩＮ番号、衝突データ、ロケーションデータなど）を送ることによって、および／または呼を受信することによって、応答できるようになり得る。
【００４１】
[0050]タイマ１０６（たとえばＴ３２４２タイマまたはＴ３２４３タイマ）は、しきい値時間（たとえば満了時間）に達するまで継続して稼働し得る。しきい値時間または満了時間の一例は、１２時間である。他のしきい値時間または満了時間が利用されてもよい。いくつかの構成では、ＩＶＳ１０２（たとえば通信制御モジュール１０８）が、タイマ１０６が満了した後にネットワークから登録解除するために、ネットワーク１１０にデタッチシグナリングを送り得る。
【００４２】
[0051]図２は、ＩＶＳ１０２によるパワーリセットシナリオにおけるタイマ継続のための方法２００の一構成を示す流れ図である。ＩＶＳ１０２は、パワーリセットを開始２０２し得る。たとえば、ＩＶＳ１０２は、電力途絶後ならびに／またはソフトウェアおよび／もしくはファームウェアのクラッシュ後に、パワーリセットを開始２０２し得る。これは、上で図１に関連して説明されたように行われ得る。
【００４３】
[0052]ＩＶＳ１０２は、パワーリセットの前に緊急呼と関連付けられるタイマ１０６が稼働していたかどうかを決定２０４し得る。たとえば、ＩＶＳ１０２は、上で図１に関連して説明されたように、この決定２０４をタイマフラグおよび／または以前に記憶されたタイマ値に基づいて行い得る。
【００４４】
[0053]ＩＶＳ１０２が、パワーリセットの前にタイマが稼働していなかったと決定２０４した場合、動作が終了２０６し得る。たとえば、ＩＶＳ１０２は、ｅＣａｌｌ非アクティブ状態に置かれ得る。
【００４５】
[0054]しかしながら、ＩＶＳ１０２が、パワーリセットの前にタイマが稼働していたと決定２０４した場合、ＩＶＳ１０２は、タイマ使用を継続２０８し得る。たとえば、ＩＶＳ１０２は、上で図１に関連して説明されたように、タイマ１０６を再始動または再開させ得る。この場合、ＩＶＳ１０２は、ｅＣａｌｌ非アクティブ状態に置かれないことがあり、および／またはタイマ１０６を満了したものとしてセットしないことがある。
【００４６】
[0055]ＩＶＳ１０２は、パワーリセットの前にタイマ１０６が稼働していた場合に、ネットワーク１１０上にＩＶＳ１０２を登録２１０し得る。たとえば、ＩＶＳ１０２は、上で図１に関連して説明されたように、ネットワーク１１０上に登録するために、ネットワーク１１０にシグナリングを送り得る。
【００４７】
[0056]図３は、本明細書に開示されるシステムおよび方法によるパワーリセットシナリオを示すスレッド図である。詳細には、図３は、図１に関連して説明されたＩＶＳ１０２の一例であり得るＩＶＳ３０２を示す。図３は、上で図１に関連して説明されたネットワーク１１０の一例であり得るネットワーク３１０も示す。
【００４８】
[0057]ＩＶＳ３０２は、緊急呼（たとえばｅＣａｌｌ）をトリガ３１２し得る。たとえば、ＩＶＳ３０２は、緊急事態または衝突が生じているかどうかを示すビークルセンサまたは衝突センサを含み得る。たとえば、衝突センサは、異常減速が生じたときを検出する加速度計を含み得る。それに加えてまたはその代わりに、衝突センサは、衝突の結果としてのビークルの衝撃および／または変形（たとえば損なわれたビークルボディ完全性）を検出する電気機械デバイスを含み得る。それに加えてまたはその代わりに、ビークルセンサまたは衝突センサは、エアバッグセンサまたはエアバッグ展開機構を含み得る。衝突センサは、緊急呼をトリガ３１２し得る。それに加えてまたはその代わりに、ＩＶＳ３０２は、入力（たとえばボタン押下、タッチスクリーン上への接触、音声指令など）を受け取り得る。ＩＶＳ３０２は、受け取られた入力に基づいて、緊急呼をトリガ３１２し得る。
【００４９】
[0058]ＩＶＳ３０２は、１つまたは複数のタイマを始動３１４し得る。たとえば、ＩＶＳ３０２は、（たとえばｅＣａｌｌオンリーデバイスの）ｅＣａｌｌのためにＴ３２４２タイマを始動３１４し得、または（たとえばｅＣａｌｌオンリーデバイスの）テストもしくは再構成ｅＣａｌｌのためにＴ３２４３タイマを始動３１４し得る。上で図１に関連して説明されたように、ＩＶＳ３０２は、タイマフラグおよび／またはタイマ値を記憶させ得る。
【００５０】
[0059]ＩＶＳ３０２は、緊急呼３１６を遂行し得る。たとえば、ＩＶＳ３０２は、緊急呼を開始し、遂行するために、ネットワーク３１０に１つまたは複数の信号を送り得る。ＩＶＳ３０２は、タイマを始動３１４させる前、タイマを始動３１４させた後、またはタイマを始動３１４させるのと同時に、緊急呼３１６を開始し得ることに留意されたい。
【００５１】
[0060]ＩＶＳ３０２は、電力途絶３１８を被ることがある。電力途絶３１８が生じると、ＩＶＳ３０２は、機能することを部分的にまたは完全に中断することがある。上で説明されたように、たとえば、ＩＶＳ３０２は、衝突、パワーダウン（たとえばユーザがビークルをオフにすること）、および／またはバックアップもしくは非常用電力への切替えの結果として、電力を喪失することがある。電力途絶は、緊急呼３１６の間または緊急呼３１６の後に生じる可能性があることに留意されたい。たとえば、ＩＶＳ３０２は、電力途絶３１８が生じたとき、緊急呼３１６の最中にある可能性がある。別の例では、緊急呼３１６の後に（たとえばＩＶＳ３０２がデータを送った後、および／またはＩＶＳ３０２に対して音声チャネルが開かれた後に）、電力途絶３１８が生じる可能性がある。たとえば、ユーザがＰＳＡＰの緊急サービスオペレータと話している可能性があり、電力途絶３１８が生じたとき、呼をターミネートしてしまう可能性がある。
【００５２】
[0061]ＩＶＳ３０２は、パワーリセットを開始３２０し得る。上で説明されたように、たとえば、ＩＶＳ３０２は、電力が復旧されると（たとえば衝突後に電力が復旧されると、ユーザがビークルをオンにすると、および／もしくはバックアップ／非常用電力が供給されると）、ならびに／またはソフトウェアおよび／もしくはファームウェアが再始動されると、電力を取り戻し得る。
【００５３】
[0062]ＩＶＳ３０２は、パワーリセットの前に緊急呼と関連付けられるタイマが稼働していたかどうかを決定３２２し得る。上で図１に関連して説明されたように、ＩＶＳ３０２はタイマが稼働していたかどうかを、タイマフラグに基づいて、および／または以前に記憶されたタイマ値に基づいて決定３２２し得る。
【００５４】
[0063]パワーリセットの前にタイマが稼働していた場合、ＩＶＳ３０２は、タイマ使用を継続３２４し得る。たとえば、ＩＶＳ３０２は、タイマを（たとえば０から）再始動させてもよく、タイマを以前に記憶されたタイマ値に基づいて再開させてもよい。いくつかの構成では、ＩＶＳ３０２は、パワーリセットの前にタイマが稼働していたかどうかを決定３２２するために、タイマフラグだけを利用し得る。これらの構成では、ＩＶＳ３０２は、タイマを再始動させ得る。他の構成では、ＩＶＳ３０２は、パワーリセットの前にタイマが稼働していたかどうかを決定３２２するために、以前に記憶されたタイマ値を利用し得る。これらの構成では、ＩＶＳ３０２は、タイマを（たとえば０から）再始動させてもよく、タイマを以前に記憶されたタイマ値に基づいて再開させてもよい。さらに他の構成では、ＩＶＳ３０２は、パワーリセットの前にタイマが稼働していたかどうかを決定３２２するために、タイマフラグを利用し得る。これらの構成では、ＩＶＳ３０２は次いで、以前に記憶されたタイマ値に基づいてタイマを再開させるために、以前に記憶されたタイマ値を利用し得る。
【００５５】
[0064]パワーリセットの前にタイマが稼働していたかどうかを決定３２２する、および／または（タイマが稼働していた場合に）タイマ使用を継続３２４するために、ＩＶＳ３０２は、タイマフラグおよび／または以前に記憶されたタイマ値を取得すべくメモリにアクセスし得る。タイマフラグはメモリ内に記憶されるがタイマ値は記憶されない構成では、ＩＶＳ３０２は、パワーリセットの前にタイマが稼働していたかどうかを決定３２２する前（およびタイマ使用を継続３２４する前）にメモリにアクセスし得る。以前に記憶されたタイマ値はメモリ内に記憶されるがタイマフラグは記憶されない構成では、ＩＶＳ３０２は、パワーリセットの前にタイマが稼働していたかどうかを決定３２２する前（およびタイマ使用を継続３２４する前）にメモリにアクセスし得る。タイマフラグと以前に記憶されたタイマ値の両方がメモリ内に記憶される構成では、異なる手法が実施され得る。一手法では、ＩＶＳ３０２は、タイマが稼働していたかどうかを決定３２２する前に、タイマフラグと以前に記憶されたタイマ値の両方を取得し得る。別の手法では、ＩＶＳ３０２は、タイマフラグだけを、タイマが稼働していたかどうかを決定３２２する前に取得し得、以前に記憶されたタイマ値を、タイマが稼働していたと決定３２２して初めて（ただし、たとえばタイマが以前に記憶されたタイマ値に基づいて再開される構成においてタイマ使用を継続３２４する前に）取得し得る。
【００５６】
[0065]ＩＶＳ３０２は、パワーリセットの前にタイマが稼働していた場合に、ネットワーク３１０上にＩＶＳ３０２を登録３２６し得る。たとえば、ＩＶＳ３０２は、上で図１に関連して説明されたように、ネットワーク３１０上に登録するために、ネットワーク３１０にシグナリングを送り得る。
【００５７】
[0066]いくつかの場合には、ＩＶＳ３０２は、パワーリセット後に１つまたは複数の音声呼３２８（たとえばｅＣａｌｌ）に参加し得る。たとえば、ＩＶＳ３０２は、入力（たとえばボタン押下、音声指令など）に基づいて、別のｅＣａｌｌを開始し得る。これは、発信緊急呼であり得る。別の例では、ＩＶＳ３０２は、（たとえば緊急サービスからの）着呼を受信することによって、別の音声呼３２８を遂行する。いくつかの構成では、着呼が緊急呼であるというインジケータがないことがある。音声呼３２８に加えてまたはその代わりに、ＩＶＳ３０２は、テキストおよび／またはデータを送り、および／または受信し得る。
【００５８】
[0067]さらに別の例では、ＩＶＳ３０２は、呼進行中（call-in-progress）フラグに基づいて、別の緊急呼を開始し得る。たとえば、いくつかの構成では、ＩＶＳ３０２は、（電力途絶３１８の前に）緊急呼３１６が開始されたとき、呼進行中フラグを記憶させ得る。呼進行中フラグは、緊急呼３１６の開始時に緊急呼が進行中であることを示すようにセットされ得る。呼進行中フラグは、緊急呼３１６の終了時に緊急呼が進行中ではないことを示すようにセットされ得る。電力途絶３１８が生じたときに緊急呼３１６が進行中または存続中であった場合、ＩＶＳ３０２は、パワーリセット３２０の後に、別の緊急呼３２８を自動的に開始し得る。たとえば、ＩＶＳ３０２は、呼進行中フラグをメモリから取得し得る。呼進行中フラグが、（電力途絶３１８が生じたときに）緊急呼３１６が進行中であったことを示す場合、ＩＶＳ３０２は、別の緊急呼３２８を自動的に開始し得る（およびその他の場合には開始しないことがある）。
【００５９】
[0068]他の場合には、ＩＶＳ３０２は、パワーリセット３２０の後に別の緊急呼３２８を遂行しないことがある。たとえば、別の緊急呼が前述の例のいずれかにおいて説明されたように開始されない場合、別の緊急呼３２８は開始されないことがある。ＩＶＳ３０２が別の緊急呼３２８を遂行していないとき、ＩＶＳ３０２はアイドル状態にあり得る。
【００６０】
[0069]タイマが満了３３０し得る。たとえば、タイマ（たとえばＴ３２４２タイマまたはＴ３２４３タイマ）は、しきい値時間（たとえば満了時間）に達するまで継続して稼働し得る。いくつかの構成では、ＩＶＳ３０２が、タイマが満了３３０した後にネットワークから登録解除するために、ネットワーク３１０にデタッチシグナリングを送ることによってネットワーク３１０からデタッチ３３２し得る。
【００６１】
[0070]図４は、パワーリセットシナリオにおけるタイマ継続のためのシステムおよび方法が実装され得るＩＶＳ４０２の、より具体的な構成を示すブロック図である。ＩＶＳ４０２は、図１に関連して説明されたＩＶＳ１０２の一例であり得る。ＩＶＳ４０２は、通信制御モジュール４０８と、１つまたは複数のタイマ４０６を制御するタイマ制御モジュール４０４とを含み得る。タイマ制御モジュール４０４は、図１に関連して説明されたタイマ制御モジュール１０４の一例であり得る。それに加えて、通信制御モジュール４０８も、図１に関連して説明された通信制御モジュール１０８の一例であり得る。したがって、タイマ制御モジュール４０４および通信制御モジュール４０８は、上で説明された対応する機能を実施し得る。ＩＶＳ４０２は、メモリ４３４、１つもしくは複数のトランシーバ４４０、および／または１つもしくは複数のアンテナ４４２ａ〜ｎも含み得る。しかしながら、いくつかの構成では、メモリ４３４およびトランシーバ４４０のうちの１つまたは複数が、ＩＶＳ４０２とは分離し得、またＩＶＳ４０２に結合され得ることに留意されたい。
【００６２】
[0071]メモリ４３４は、タイマ制御モジュール４０４に結合され得る。タイマ制御モジュール４０４は、メモリ４３４に情報を書き込み、および／またはメモリ４３４から情報を読み出し得る。メモリ４３４は、電子情報を記憶する任意の電子デバイスであり得る。たとえば、メモリ４３４は、ランダムアクセスメモリ（ＲＡＭ）、読出し専用メモリ（ＲＯＭ）、磁気ディスク記憶媒体、光記憶媒体、不揮発性ＲＡＭ（ＮＶＲＡＭ）、フラッシュメモリ、ＲＡＭ内のフラッシュメモリデバイス、プロセッサとともに含まれるオンボードメモリ、プログラマブル読出し専用メモリ（ＰＲＯＭ）、消去可能プログラマブル読出し専用メモリ（ＥＰＲＯＭ）、電気的消去可能ＰＲＯＭ（ＥＥＰＲＯＭ（登録商標））、レジスタなどであり、また、それらの組合せを含み得る。メモリ４３４が不揮発性である構成では、電力途絶中にメモリ４３４に電力が供給されないことがある。メモリ４３４が揮発性である構成では、記憶された情報を維持するために、メモリ４３４に電力が供給され得る。たとえば、メモリ４３４は、電力が途絶した場合、バックアップ電源（たとえばバックアップバッテリ）に結合され得る。
【００６３】
[0072]上で説明されたように、タイマ制御モジュール４０４は、タイマフラグ４３８および／またはタイマ値４３６をメモリ４３４内に記憶させ得る。いくつかの構成では、タイマ制御モジュール４０４は、タイマフラグ４３８をメモリ４３４内に記憶させ得る。たとえば、タイマフラグ４３８は、単一ビットによって表され得、この場合、ビットの一状態（たとえば「１」）が、タイマ４０６が始動された、および／または稼働していたことを示し、ビットの別の状態（たとえば「０」）が、タイマ４０６が稼働していなかったことを示す。たとえば、タイマ４０６が始動されると、タイマ４０６が始動された、および／または稼働していたことを示すようにタイマフラグ４３８が「１」にセットされ得る。タイマが満了した（たとえばしきい値時間量に達した）場合、タイマ制御モジュール４０４は、タイマ４０６が稼働していないことを示すようにタイマフラグ４３８を「０」にセットし得る。
【００６４】
[0073]それに加えてまたはその代わりに、タイマ制御モジュール４０４は、タイマ４０６の量を示すタイマ値４３６をメモリ４３４内に記憶させ得る。タイマ値４３６は、１つもしくは複数の整数として、および／または１つもしくは複数の浮動小数点数として表され得る。整数および／または浮動小数点数は、１組または複数組のビットとして記憶され得る。たとえば、タイマ値４３６は、３組のビットとして表され得、この場合、第１組が整数の時を表し、第２組が整数の分を表し、第３組が整数の秒を表す。別の例では、タイマ値４３６は、浮動小数点数の秒を表す１組のビットとして記憶され得る。タイマ制御モジュール４０４は、タイマ値４３６を定期的に（たとえば定期的な間隔で）更新してもよく、連続して更新されてもよい。いくつかの構成では、タイマ４０６が始動されなかった、または稼働していなかったことを示すように、タイマ値４３６がヌルに、または特定の値（たとえばしきい値を上回る値、負の量など）にセットされ得る。
【００６５】
[0074]いくつかの構成では、１つまたは複数のタイマ値４３６は記憶され得るがタイマフラグ４３８は記憶されないことがあることに留意されたい。他の構成では、１つまたは複数のタイマフラグ４３８は記憶され得るが、タイマ値４３６は記憶されないことがある。さらに他の構成では、１つまたは複数のタイマ値４３６と１つまたは複数のタイマフラグ４３８の両方が記憶され得る。
【００６６】
[0075]上で説明されたように、いくつかの構成では、タイマ制御モジュール４０４はそれに加えて、いくつかの構成ではタイムスタンプ値もメモリ４３４内に記憶させ得る。タイムスタンプ値は、タイマ値４３６と関連し得、タイマ値４３６が記憶された時刻を示す。
【００６７】
[0076]トランシーバ４４０は、通信制御モジュール４０８に結合され得る。トランシーバ４４０は、信号をフォーマット、デフォーマット、送信、および／または受信する。たとえば、通信制御モジュール４０８は、信号（たとえば制御シグナリング、モビリティ管理シグナリング、登録信号、ロケーションエリア更新シグナリング、データ、音声信号、デタッチ信号など）をトランシーバ４４０に供給し得る。トランシーバ４４０は、送信のために、信号をスクランブル、符号化、変調、プリコーディング、アップコンバート、および／または増幅し得る。トランシーバ４４０は次いで、フォーマット化された信号を１つまたは複数のアンテナ４４２ａ〜ｎに供給し得、アンテナ４４２ａ〜ｎは、フォーマット化された信号をワイヤレス電磁信号として放射し得る。トランシーバ４４０はまた、別のデバイス（たとえばネットワーク）から、１つまたは複数のアンテナ４４２ａ〜ｎからの信号（たとえばページングシグナリング、データ、音声信号、制御シグナリングなど）を受信し得る。トランシーバ４４０は、受信された信号を増幅、ダウンコンバート、復調、復号、および／またはデスクランブルし得る。トランシーバ４４０は、デフォーマット化された信号を、通信制御モジュール４０８に供給し得る。
【００６８】
[0077]図５は、ＩＶＳ４０２によるパワーリセットシナリオにおけるタイマ継続のための方法５００のより具体的な構成を示す流れ図である。ＩＶＳ４０２は、緊急呼をトリガ５０２し得る。たとえば、ＩＶＳ４０２は、上で図１から図４のうちの１つまたは複数に関連して説明されたように、緊急呼をトリガし得る。
【００６９】
[0078]ＩＶＳ４０２は、緊急呼がトリガされると、タイマ４０６を始動５０４させ得る。たとえば、ＩＶＳ４０２は、上で図１から図４のうちの１つまたは複数に関連して説明されたように、タイマ４０６を始動５０４させる。
【００７０】
[0079]ＩＶＳ４０２は、タイマ値４３６および／またはタイマフラグ４３８をメモリ４３４内に記憶５０６させ得る。たとえば、ＩＶＳ４０２は、上で図１から図４のうちの１つまたは複数に関連して説明されたように、タイマ値４３６および／またはタイマフラグ４３８をメモリ４３４内に記憶５０６させ得る。
【００７１】
[0080]上で説明されたように、電力途絶が生じることがある。電力途絶は、たとえば、緊急呼が存続している間に、または緊急呼の後で、ただしタイマ４０６が満了してしまう前に生じることがある。
【００７２】
[0081]ＩＶＳ４０２は、パワーリセットを開始５０８し得る。たとえば、ＩＶＳ４０２は、上で図１から図４のうちの１つまたは複数に関連して説明されたように、パワーリセットを開始５０８し得る。
【００７３】
[0082]ＩＶＳ４０２は、以前に記憶されたタイマ値４３６および／またはタイマフラグ４３８をメモリ４３４から取得５１０し得る。たとえば、ＩＶＳ４０２は、上で図１から図４のうちの１つまたは複数に関連して説明されたように、（以前に記憶された）タイマ値４３６および／またはタイマフラグ４３８をメモリ４３４から取得５１０し得る。以前に記憶されたタイマ値４３６および／またはタイマフラグ４３８をメモリ４３４から取得５１０することは、上で図３に関連して説明された順序のいずれかにおいて実施され得ることに留意されたい。いくつかの構成では、ＩＶＳ４０２はそれに加えて、タイムスタンプもメモリ４３４から取得し得る。
【００７４】
[0083]ＩＶＳ４０２は、パワーリセットの前に緊急呼と関連付けられるタイマ４０６が稼働していたかどうかを決定５１２し得る。たとえば、ＩＶＳ４０２は、上で図１から図４のうちの１つまたは複数に関連して説明されたように、この決定５１２をタイマフラグ４３８および／または以前に記憶されたタイマ値４３６に基づいて行い得る。ＩＶＳ４０２が、パワーリセットの前にタイマが稼働していなかったと決定５１２した場合、動作が終了５１４し得る。たとえば、ＩＶＳ４０２は、ｅＣａｌｌ非アクティブ状態に置かれ得る。
【００７５】
[0084]ＩＶＳ４０２が、パワーリセットの前にタイマが稼働していたと決定５１２した場合、ＩＶＳ４０２は、タイマ使用を継続５１６し得る。たとえば、ＩＶＳ４０２は、上で図１から図４のうちの１つまたは複数に関連して説明されたように、タイマ４０６を再始動または再開させ得る。
【００７６】
[0085]ＩＶＳ４０２は、パワーリセットの前にタイマ４０６が稼働していた場合に、ネットワーク上にＩＶＳ４０２を登録５１８し得る。たとえば、ＩＶＳ４０２は、上で図１から図４のうちの１つまたは複数に関連して説明されたように、ネットワーク上に登録するために、ネットワークにシグナリングを送り得る。
【００７７】
[0086]図６は、ＩＶＳ４０２によるパワーリセットシナリオにおけるタイマ継続のための方法６００の別のより具体的な構成を示す流れ図である。ＩＶＳ４０２は、緊急呼をトリガ６０２し、タイマ４０６を始動６０４させ、タイマ値４３６および／またはタイマフラグ４３８をメモリ４３４内に記憶６０６させ得る。これらの動作は、上で図５に関連して説明されたように実施され得る。
【００７８】
[0087]上で説明されたように、電力途絶が生じることがある。電力途絶は、たとえば、緊急呼が存続している間に、または緊急呼の後で、ただしタイマ４０６が満了してしまう前に生じることがある。
【００７９】
[0088]ＩＶＳ４０２は、パワーリセットを開始６０８し得る。たとえば、ＩＶＳ４０２は、上で図１から図５のうちの１つまたは複数に関連して説明されたように、パワーリセットを開始６０８し得る。
【００８０】
[0089]ＩＶＳ４０２は、（以前に記憶された）タイマ値４３６および／またはタイマフラグ４３８をメモリ４３４から取得６１０し得、パワーリセットの前に緊急呼と関連付けられるタイマ４０６が稼働していたかどうかを決定６１２し得る。これらの動作は、上で図５に関連して説明されたように実施され得る。
【００８１】
[0090]ＩＶＳ４０２が、パワーリセットの前にタイマが稼働していなかったと決定６１２した場合、上で説明されたように、動作が終了６１４し得る。ＩＶＳ４０２が、パワーリセットの前にタイマが稼働していたと決定６１２した場合、ＩＶＳ４０２は、タイマ使用を継続６１６し、ネットワーク上にＩＶＳ４０２を登録６１８し得る。これらの動作は、上で図５に関連して説明されたように実施され得る。
【００８２】
[0091]パワーリセットの前にタイマ４０６が稼働していた場合、ＩＶＳ４０２は、ロケーションエリア更新手順を開始６２０し得る。たとえば、ＩＶＳ４０２は、ロケーションエリア更新手順を開始するために、ネットワークにシグナリングを送り得る。たとえば、ＩＶＳ４０２は、ネットワークにロケーション更新要求（たとえば「ＬＯＣＡＴＩＯＮ  ＵＰＤＡＴＩＮＧ  ＲＥＱＵＥＳＴ」）メッセージを送り得る。ＩＶＳ４０２は、ネットワークからロケーションエリア識別情報（たとえば「ＬＯＣＡＴＩＯＮ  ＵＰＤＡＴＩＮＧ  ＡＣＣＥＰＴ」メッセージ内の「ロケーションエリア識別子（Location Area Identification）」）を受信し得る。ＩＶＳ４０２はそれに加えて、ロケーションエリア識別情報を記憶させ得る。ＩＶＳ４０２は、ロケーション更新に成功した後、更新ステータスを（たとえば加入者識別モジュール（ＳＩＭ）／ＵＳＩＭ内で「ＵＰＤＡＴＥＤ」に）セットし得る。いくつかの構成では、ロケーションエリア更新手順は、たとえば、３ＧＰＰ  ＴＳ２４．００８、セクション４．４．１および４．４．２に従ってよい。
【００８３】
[0092]パワーリセットの前にタイマ４０６が稼働していた場合、ＩＶＳ４０２は、アイドル状態（たとえばＭＭ  ＩＤＬＥ）に入る６２２ことができる。ＩＶＳ４０２は、任意の更なる呼（たとえばｅＣａｌｌ、発呼および／または着呼）の間はアクティブ状態に入り得ることを除き、タイマ４０６の持続時間の間アイドル状態に留まり得る。いくつかの構成では、アイドル状態（たとえばＭＭ  ＩＤＬＥ）は、１つまたは複数の副状態を含み得る。たとえば、ＩＶＳ４０２は、アイドル状態にある間、ＩＶＳ４０２が登録され、ページングチャネルを監視しており、および／または利用可能なＰＬＭＮ／セルを常に把握している通常サービス（normal service）副状態（たとえば「ＮＯＲＭＡＬ  ＳＥＲＶＩＣＥ」状態）にあり得る。いくつかの構成では、アイドル状態は、たとえば、３ＧＰＰ  ＴＳ２４．００８、セクション４．１．２．１．２に従ってよい。
【００８４】
[0093]ＩＶＳ４０２は、タイマ４０６の満了後に（たとえばタイマ４０６がしきい値量に達したとき）、ネットワークからからデタッチ６２４し得る。たとえば、ＩＶＳ４０２はネットワークに、ネットワークデタッチメントを示すシグナリングを送り得る。たとえば、ＩＶＳ４０２は、ネットワークにデタッチメッセージ（たとえば「ＩＭＳＩ  ＤＥＴＡＣＨ  ＩＮＤＩＣＡＴＩＯＮ」メッセージ）を送り得る。いくつかの構成では、ネットワークからのデタッチは、たとえば、３ＧＰＰ  ＴＳ２４．００８、セクション４．３．４に従ってよい。ＩＶＳ４０２はオプションで、タイマ４０６の満了後に、非アクティブ状態（たとえばｅＣＡＬＬ  ＩＮＡＣＴＩＶＥ）に入り得る。
【００８５】
[0094]図７は、パワーリセットシナリオにおけるタイマ継続のためのシステムおよび方法が実装され得る、ｅＣａｌｌオンリーＩＶＳ７０２の一構成を示すブロック図である。ｅＣａｌｌオンリーＩＶＳ７０２は、図１から図６のうちの１つまたは複数に関連して説明されたビークル内システムのうちの１つまたは複数の一例であり得る。ｅＣａｌｌオンリーＩＶＳ７０２は、通信制御モジュール７０８と、Ｔ３２４２タイマ７０６ａおよびＴ３２４３タイマ７０６ｂを制御するタイマ制御モジュール７０４とを含み得る。タイマ制御モジュール７０４は、図１および図４に関連して説明されたタイマ制御モジュール１０４、４０４のうちの１つまたは複数の一例であり得る。それに加えて、通信制御モジュール７０８も、図１および図４に関連して説明された通信制御モジュール１０８、４０８のうちの１つまたは複数の一例であり得る。ｅＣａｌｌオンリーＩＶＳ７０２は、メモリ７３４、１つもしくは複数のトランシーバ７４０、および／または１つもしくは複数のアンテナ７４２ａ〜ｎも含み得る。メモリ７３４、トランシーバ７４０、およびアンテナ７４２ａ〜ｎは、上で図４に関連して説明されたメモリ４３４、トランシーバ４４０、およびアンテナ４４２ａ〜ｎの例であり得る。したがって、タイマ制御モジュール７０４、通信制御モジュール７０８、メモリ７３４、およびトランシーバ７４０は、上で説明された対応する機能を実施し得る。
【００８６】
[0095]図７に示される構成では、タイマ制御モジュール７０４は、Ｔ３２４２タイマフラグ７３８ａ、Ｔ３２４３タイマフラグ７３８ｂ、Ｔ３２４２タイマ値７３６ａ、およびＴ３２４３タイマ値７３６ｂのうちの１つまたは複数を、メモリ７３４内に記憶させ得る。たとえば、Ｔ３２４２タイマフラグ７３８ａはＴ３２４２タイマ７０６ａに対応し、Ｔ３２４３タイマフラグ７３８ｂはＴ３２４３タイマ７０６ｂに対応し、Ｔ３２４２タイマ値７３６ａはＴ３２４２タイマ７０６ａに対応し、Ｔ３２４３タイマ値７３６ｂはＴ３２４３タイマ７０６ｂに対応する。Ｔ３２４２タイマ７０６ａは、ｅＣａｌｌ（たとえば正規のｅＣａｌｌ）用タイマの一例であり得、Ｔ３２４３タイマ７０６ｂは、テストまたは再構成ｅＣａｌｌ用タイマの一例であり得る。
【００８７】
[0096]上で説明されたように、ｅＣａｌｌオンリーＩＶＳ７０２は、ｅＣａｌｌをトリガし得る。正規のｅＣａｌｌが開始されると、タイマ制御モジュール７０４は、Ｔ３２４２タイマ７０６ａを始動させる。したがって、タイマ制御モジュール７０４は、Ｔ３２４２タイマ７０６ａが稼働していることを示すようにＴ３２４２タイマフラグ７３８ａをセットし得、および／またはＴ３２４２タイマ値７３６ａを（たとえば定期的にまたは連続して）メモリ７３４内に記憶させ得る。
【００８８】
[0097]テストまたは再構成ｅＣａｌｌが開始されると、タイマ制御モジュール７０４は、Ｔ３２４３タイマ７０６ｂを始動させる。したがって、タイマ制御モジュール７０４は、Ｔ３２４３タイマ７０６ｂが稼働していることを示すようにＴ３２４３タイマフラグ７３８ｂをセットし得、および／またはＴ３２４３タイマ値７３６ｂを（たとえば定期的にまたは連続して）メモリ７３４内に記憶させ得る。
【００８９】
[0098]電力途絶の後、パワーリセットを開始するとすぐに、タイマ制御モジュール７０４は、パワーリセットの前にＴ３２４２タイマ７０６ａまたはＴ３２４３タイマ７０６ｂのいずれかが稼働していたかどうかを決定し得る。
【００９０】
[0099]タイマ制御モジュール７０４が、パワーリセットの前にＴ３２４２タイマ７０６ａまたはＴ３２４３タイマ７０６ｂが稼働していたと決定した場合、タイマ制御モジュール７０４は、上の説明に従って、対応するタイマ７０６ａ〜ｂを再始動および／または再開させ得る。たとえば、Ｔ３２４２タイマ値７３６ａおよび／またはＴ３２４２タイマフラグ７３８ａが、パワーリセットの前にＴ３２４２タイマが稼働していたことを示す場合、タイマ制御モジュール７０４は、Ｔ３２４２タイマを再始動または再開させ得る。ｅＣａｌｌオンリーＩＶＳ７０２はまた、ネットワーク上にｅＣａｌｌオンリーＩＶＳを登録し得る。たとえば、通信制御モジュール７０８が、ネットワークに登録信号を送り得る。ｅＣａｌｌオンリーＩＶＳ７０２はそれに加えて、上で説明されたように、ロケーションエリア更新手順を開始し得る。
【００９１】
[00100]Ｔ３２４２タイマ７０６ａおよびＴ３２４３タイマ７０６ｂのうちの少なくとも１つが稼働しているとき、ｅＣａｌｌオンリーＩＶＳ７０２は、タイマの持続時間の間アイドル状態（たとえばＭＭ  ＩＤＬＥ）に入り得る（ただし、ｅＣａｌｌが現在遂行されている最中である場合は除外され、その場合、ｅＣａｌｌオンリーＩＶＳ７０２はアクティブ状態で動作し得る）。たとえば、ｅＣａｌｌオンリーＩＶＳ７０２は、ネットワーク上に登録された状態に留まり得る。通信制御モジュール７０８は、ネットワーク上に登録された状態に留まるために、トランシーバ７４０を介してネットワークにシグナリングを送り得る。
【００９２】
[00101]Ｔ３２４２タイマ７０６ａおよび／またはＴ３２４３タイマ７０６ｂが満了すると、ｅＣａｌｌオンリーＩＶＳ７０２は、ネットワークからデタッチし得る。たとえば、通信制御モジュール７０８は、デタッチメッセージをトランシーバ７４０に供給し、トランシーバ７４０がデタッチメッセージをアンテナ７４２ａ〜ｎを介して送信し得ることによって、ネットワークにデタッチメッセージを送り得る。
【００９３】
[00102]図８は、訪問先ネットワーク（visited network）８４８と、ホームネットワーク８５４と、サードパーティネットワーク８５８とを含み得る、ネットワーク配備８６８の一例を示す。訪問先ネットワーク８４８、ホームネットワーク８５４、および／またはサードパーティネットワーク８５８の１つまたは複数の要素が、図１に関連して説明されたネットワーク１１０とともに含まれる要素の例であり得る。訪問先ネットワーク８４８は、訪問先パブリックランドモバイルネットワーク（Ｖ−ＰＬＭＮ）、サービスネットワークなどと呼ばれることもある。ホームネットワーク８５４は、ホームＰＬＭＮ（Ｈ−ＰＬＭＮ）と呼ばれることもある。訪問先ネットワーク８４８は、端末８４４のためのサービスネットワークであり得、それは、そのホームネットワーク８５４からローミングしてもよい。訪問先ネットワーク８４８およびホームネットワーク８５４は、端末８４４がローミングしていない場合は、同じネットワークであり得る。端末８４４は、図１に関連して説明されたＩＶＳ１０２の一例であり得る。
【００９４】
[00103]訪問先ネットワーク８４８は、無線アクセスネットワーク（ＲＡＮ）８５０と、モバイル交換局（ＭＳＣ）／ビジターロケーションレジスタ（ＶＬＲ）８５２と、簡単にするために図８に示されていない他のネットワークエンティティとを含み得る。ＲＡＮ８５０は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））ネットワーク、広帯域符号分割多元接続（ＷＣＤＭＡ（登録商標））ネットワーク、汎用パケット無線サービス（ＧＰＲＳ）アクセスネットワーク、ロングタームエボリューション（ＬＴＥ（登録商標））ネットワーク、ＣＤＭＡ１Ｘネットワーク、高速パケットデータ（ＨＲＰＤ）ネットワーク、ウルトラモバイルブロードバンド（ＵＭＢ）ネットワークなどであり得る。ＧＳＭ、ＷＣＤＭＡ、ＧＰＲＳ、およびＬＴＥは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部であり、これらについては、「第３世代パートナーシッププロジェクト」（３ＧＰＰ）という名称の組織からの文献に説明されている。ＣＤＭＡ１ＸおよびＨＲＰＤは、ｃｄｍａ２０００の一部であり、ｃｄｍａ２０００およびＵＭＢについては、「第３世代パートナーシッププロジェクト２」（３ＧＰＰ２）という名称の組織からの文献に説明されている。（たとえばＭＳＣ／ＶＬＲ８５２内に含まれている）ＭＳＣは、回路交換呼のための交換機能を実施し得、ショートメッセージサービス（ＳＭＳ）メッセージのルーティングもし得る。（たとえばＭＳＣ／ＶＬＲ８５２内に含まれている）ＶＬＲは、訪問先ネットワーク８４８に登録された端末の登録情報を記憶し得る。
【００９５】
[00104]ホームネットワーク８５４は、ホームロケーションレジスタ（ＨＬＲ）／認証センター（ＡＣ）８５６と、簡単にするために図８に示されていない他のネットワークエンティティとを含み得る。ＨＬＲは、ホームネットワーク８５４とのサービスサブスクリプションを有する端末のサブスクリプション情報を記憶し得る。ＡＣは、ホームネットワーク８５４とのサービスサブスクリプションを有する端末の認証を実施し得る。
【００９６】
[00105]サードパーティネットワーク８５８は、ルータまたはスイッチ８６０（たとえばＰＳＡＰ選択ルータ）と、ＰＳＡＰ８６２と、公衆交換電話網（ＰＳＴＮ）８６４と、場合によっては、図８に示されていない他のネットワークエンティティとを含み得る。ルータまたはスイッチ８６０は、ＭＳＣとＰＳＡＰ８６２との間で呼をルーティングし得る。ＰＳＡＰ８６２は、緊急呼への応答を担当し得、緊急センター（ＥＣ）と呼ばれることもある。ＰＳＡＰ８６２は、図１に関連して説明されたＰＳＡＰ１１２の一例であり得る。ＰＳＡＰ８６２は、政府機関（たとえば郡または市）によって運営または所有され得る。ＰＳＴＮ８６４は、電話８６６などの従来のワイヤライン電話のための電話サービスを提供し得る。
【００９７】
[00106]図８は、訪問先ネットワーク８４８およびホームネットワーク８５４内に存在し得るネットワークエンティティの一部だけを示している。たとえば、訪問先ネットワーク８４８は、パケット交換呼および他のサービスをサポートするネットワークエンティティ、ならびに端末ロケーションの取得を支援するロケーションサーバを含み得る。
【００９８】
[00107]端末８４４は、固定でもよく、モバイルでもよく、またＧＳＭおよびＣＤＭＡ１Ｘにおける移動局（ＭＳ）、ＷＣＤＭＡおよびＬＴＥにおけるユーザ機器（ＵＥ）、ＨＲＰＤにおけるアクセス端末（ＡＴ）、Ｓｅｃｕｒｅ  Ｕｓｅｒ  Ｐｌａｎｅ  Ｌｏｃａｔｉｏｎ（ＳＵＰＬ）におけるＳＵＰＬ対応端末（ＳＥＴ）、加入者ユニット、局などと呼ばれることもある。端末８４４は、セルラー電話もしくは他のワイヤレス通信デバイス、パーソナル通信システム（ＰＣＳ）デバイス、パーソナルナビゲーションデバイス（ＰＮＤ）、パーソナルインフォメーションマネージャ（ＰＩＭ）、パーソナルデジタルアシスタント（ＰＤＡ）、ラップトップ、またはワイヤレス通信信号および／もしくはナビゲーション信号を受信することの可能な他の適切なモバイルデバイスなどのデバイスであり得る。端末８４４はパーソナルナビゲーションデバイス（ＰＮＤ）と、衛星信号受信、アシスタンスデータ受信、および／または位置関連処理がそのデバイスで行われるか、それともＰＮＤで行われるかにかかわらず、短距離ワイヤレス接続、赤外線接続、ワイヤライン接続、または他の接続などによって通信するデバイスであってもよい。また、端末８４４は、（たとえばインターネット、Ｗｉ−Ｆｉ（登録商標）、または他のネットワークを介して）サーバと、衛星信号受信、アシスタンスデータ受信、および／または位置関連処理がそのデバイスで行われるか、サーバで行われるか、それともネットワークと関連付けられた別のデバイスで行われるかにかかわらず通信することの可能な、ワイヤレス通信デバイス、コンピュータ、ラップトップなどを含むすべてのデバイスを含むことが意図されている。上記のもののいかなる動作可能な組合せも含まれる。端末８４４は、ビークルに永久に取り付けられ得る（および場合によってはビークルの一部であり得る）専用ビークル内システム（ＩＶＳ）であってもよい。
【００９９】
[00108]図８に示されるように、端末８４４は、ホームネットワーク８５４とのサービスサブスクリプションを有し得ると同時に、訪問先ネットワーク８４８内にローミングしていてよい。端末８４４は、訪問先ネットワーク８４８内のＲＡＮ８５０から信号を受信し得、または通信サービスを取得するためにそのＲＡＮと通信し得る。端末８４４はまた、ローミングしていないときは（図８には示されていない）、通信サービスを得るためにホームネットワーク８５４と通信し得る。端末８４４は、衛星測位システム（ＳＰＳ）の一部であり得る１つまたは複数の衛星８４６からも、信号を受信し得る。ＳＰＳは、典型的には、トランスミッタから受信された信号に少なくとも部分的に基づいてエンティティが地球上または地球上空でのそのロケーションを決定できるように配置されたトランスミッタのシステムを含む。そのようなトランスミッタは、典型的には、セットされたチップ数の反復する疑似ランダムノイズ（ＰＮ）コードでマーキングされた信号を送信し、地上ベースの制御局、ユーザ機器、および／または宇宙ビークル上に位置付けられ得る。特定の例では、そのようなトランスミッタは、地球周回衛星ビークル（ＳＶ）上に位置付けられ得る。たとえば、全地球測位システム（ＧＰＳ）、Ｇａｌｉｌｅｏ、Ｇｌｏｎａｓｓ、またはＣｏｍｐａｓｓなどの全地球航法衛星システム（ＧＮＳＳ）のコンスタレーション内のＳＶは、（たとえばＧＰＳの場合のように各衛星について異なるＰＮコードを用いることによって、またはＧｌｏｎａｓｓの場合のように異なる周波数上の同じコードを用いることによって）そのコンスタレーション内の他のＳＶによって送信されるＰＮコードとは区別可能なＰＮコードでマーキングされた信号を送信し得る。端末８４４は、衛星８４６からの信号を測定し、衛星に関する疑似距離測定値を取得し得る。端末８４４はまた、ＲＡＮ８５０内の基地局からの信号を測定し、基地局に関するタイミング測定値および／または信号強度測定値を取得し得る。疑似距離測定値、タイミング測定値、および／または信号強度測定値は、端末８４４に関する位置推定値を導出するために使用され得る。位置推定値は、ロケーション推定値、位置フィックス（position fix）などと呼ばれることもある。
【０１００】
[00109]端末８４４は、端末に割り当てられる一意の番号である、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）を有し得る。端末８４４は、ユーザのサービスサブスクリプションに関して使用され得る。サービスサブスクリプションは、ＧＳＭネットワークおよびＵＭＴＳネットワークのサブスクリプションに割り当てられる一意の番号である、Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）と関連付けられ得る。サービスサブスクリプションは、そのサービスサブスクリプションの電話番号である、Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ（ＭＳＩＳＤＮ）とも関連付けられ得る。ＩＭＳＩは、（たとえばＨＬＲ／ＡＣ８５６内に含まれる）ＨＬＲ内の加入者データベースにおいてそのサービスサブスクリプションを探すための手がかりとして使用され得る。ＭＳＩＳＤＮは、そのサービスサブスクリプションに関して使用される端末８４４に呼を接続するために、他のユーザによってダイヤルされ得る。ＩＭＳＩ、ＭＳＩＳＤＮ、および他のサブスクリプション情報は、端末８４４に挿入され得る加入者識別モジュール（ＳＩＭ）または汎用加入者識別モジュール（ＵＳＩＭ）内に記憶され得る。端末８４４は、ＳＩＭ／ＵＳＩＭを有していないこともあり、その場合、端末８４４は、ＩＭＥＩのみを有し得るが、ＩＭＳＩまたはＭＳＩＳＤＮは有し得ない。
【０１０１】
[00110]ワイヤレスネットワークは、様々なタイプの緊急呼をサポートするように要求されることがある。緊急呼の１つのタイプに、上で説明された特色を有し得る緊急呼であるｅＣａｌｌがあり得る。ｅＣａｌｌのサポートは、欧州連合によって、また世界の他の地域および／または国によって要求されることがある。ｅＣａｌｌは、ｅＣａｌｌを確立するために追加の緊急関連データが送られ、ｅＣａｌｌを処理するためにそのデータが使用され得る、より特定のタイプの緊急呼であり得る。たとえば、追加データは、ｅＣａｌｌがどのようにして開始されたか、登録要求、後続の要求、ＩＶＳに関係する情報（たとえばｅＣａｌｌオンリーモードもしくはミックスモード）、ビークルタイプおよびビークル識別番号（ＶＩＮ）、タイムスタンプ、位置推定値および位置信頼性フラグ、進行方向、（たとえばシートベルトが締められていた）搭乗者の数、端末のサービスプロバイダ（存在する場合）、トリガタイプ（たとえばエアバッグの展開、バンパセンサなど）、ならびに／または場合によっては他の情報を示し得る。追加データは、ｅＣａｌｌをかけているＩＶＳまたは端末の登録のために以前に確立された接続を用いて、ｅＣａｌｌがセットアップされることを可能にし得る。いくつかの構成では、ｅＣａｌｌは、端末８４４の地理的なロケーションをＰＳＡＰ８６２に供給し得る。
【０１０２】
[00111]図９は、ｅＣａｌｌオンリーＩＶＳとして動作するように設定され得るＩＶＳ９０２の別のより具体的な例を示すブロック図である。ＩＶＳ９０２は、図１から図８のうちの１つまたは複数に関連して説明されたビークル内システム１０２、３０２、４０２、７０２、および端末８４４のうちの１つまたは複数の、一例であり得る。ＩＶＳ９０２は、プロセッサモジュール９７８と、それが結合された、ＩＶＳ９０２がワイヤレスで通信することを可能にする複数のワイヤレスモジュールとを含み得る。たとえば、ワイヤレスモジュールとしては、ワイヤレス音声／データモジュール９７０、別のデータモジュール９７２（たとえばＢｌｕｅｔｏｏｔｈ（登録商標）モジュール）、および測位モジュール９７４（たとえばＧＰＳモジュール）があり得るが、ＩＶＳ９０２は、図示されているワイヤレスモジュールに限定されない。図示されているワイヤレスモジュールの各々は、それぞれのアンテナ９４２ａ〜ｃに結合される。アンテナ９４２ａ〜ｃは、別々のアンテナとして示されているが、単一のユニタリアンテナまたは追加のアンテナが使用され、ワイヤレス音声／データモジュール９７０に、他のデータモジュール９７２に、および／または測位モジュール９７４に結合されてもよい。
【０１０３】
[00112]プロセッサモジュール９７８は、スピーカ／マイクロホンモジュール９８０、ｅＣａｌｌボタン９８２、ビークルセンサインターフェース９８４、および／またはディスプレイスクリーンモジュール９８６にも結合され得る。さらに、プロセッサモジュール９７８は、ＩＶＳ９０２をｅＣａｌｌオンリー対応デバイスとして設定する情報を含み得る記憶モジュール９７６に結合され得る。ｅＣａｌｌボタン９８２は、万一事故、または緊急サービスからの注目もしくは支援を必要とする他の事態が発生した場合に、緊急呼を手動で開始するために使用され得る。ビークルセンサインターフェース９８４は、ビークル内に配備され、緊急サービスからの注目または支援を必要とする可能性のある事故（たとえば衝突）状態を検出するように設計された、センサ（図示されていない）に結合され得る。そのようなビークルセンサは、エアバッグ展開機構、ビークルボディ完全性センサなどに取り付けられ得る。
【０１０４】
[00113]ＩＶＳ９０２は、音声通信およびデータ通信をネットワークに送信し、ネットワークから受信するように構成され得る。たとえば、ＩＶＳ９０２は、（たとえば登録試行後の）緊急呼の間に、ＲＡＮ８５０を介してＭＳＣに信号を送信し、ＭＳＣからＲＡＮ８５０を介して信号を受信し得る。より具体的には、ＭＳＣは、ＩＶＳ９０２からの緊急情報が、ルータもしくはスイッチ８６０またはＰＳＴＮ８６４を介してＰＳＡＰ８６２に通信されることを可能にする。そのような緊急情報は、ＩＶＳ９０２が、デバイス内に記憶された適切な緊急電話番号（たとえば１１２、９１１、０００など）を用いて緊急呼を開始した後に、ＰＳＡＰ８６２に通信され得る。緊急情報または緊急データは、ユーザからの直接の、スピーカ／マイクロホンモジュール９８０を介した音声通信、ビークルセンサインターフェース９８４に結合されたセンサから生成されたデータ、および／または測位モジュール９７４からの測位情報を含み得る。
【０１０５】
[00114]前述されたように、ＩＶＳ９０２は、いくつかの構成では、ｅＣａｌｌオンリーデバイスとして設定され得る。そのような設定情報は、記憶モジュール９７６内に記憶され得る。記憶モジュール９７６は、不揮発性ストレージ、揮発性ストレージ、加入者識別モジュール（ＳＩＭ）、汎用加入者識別モジュール（ＵＳＩＭ）、および／または任意の他の適切な記憶可能要素であり得る。たとえば、記憶モジュール９７６は、構成に応じて、上で説明されたメモリ内に含まれてもよく、そのメモリから分離していてもよい。
【０１０６】
[00115]スピーカ／マイクロホンモジュール９８０は、ＩＶＳ９０２とＰＳＡＰ（たとえばＰＳＡＰ１１２、８６２）との間の音声呼の間に使用され得る。ｅＣａｌｌオンリーＩＶＳをアクティブ化するために、またはその他の場合には、特定の緊急データメッセージおよび／もしくは緊急音声通信の生成とその、ｅＣａｌｌシステムを介したＰＳＡＰ（たとえばＰＳＡＰ１１２、８６２）への送信を開始するために、ｅＣａｌｌボタン９８２などのテレマティックス用途に特化したボタンが使用され得る。さらに、データ通信の開始はまた、エアバッグ展開機構に結合されたセンサなどのビークルセンサを介して自動的に行われ得る。
【０１０７】
[00116]ワイヤレス音声データモジュール９７０、他のデータモジュール９７２、および／または測位モジュール９７４の各々は、音声メッセージおよびデータメッセージを符号化するためのトランスミッタを含み得、この音声メッセージおよびデータメッセージは、アンテナ９４２ａ〜ｃを用いて、ＣＤＭＡ、ＷＣＤＭＡ、ＧＳＭ、ＴＤＭＡなどのようなオーバーザエアプロトコルを介して送信され得る。ワイヤレス音声データモジュール９７０、他のデータモジュール９７２、および／または測位モジュール９７４は、衛星通信など、他のワイヤレス通信によって送信するように構成されてもよい。ワイヤレス音声データモジュール９７０、他のデータモジュール９７２、および／または測位モジュール９７４の各々は、（基地局、ＭＳＣ、ＰＳＡＰ８６２、または通信ネットワークと関連付けられた任意の他の構成要素から）音声メッセージおよびデータメッセージを受信し、それを復号するためのレシーバも含み得る。受信されるそのような音声メッセージおよびデータメッセージは、ＣＤＭＡ、ＷＣＤＭＡ、ＧＳＭ、ＴＤＭＡなどのようなオーバーザエアプロトコルを介して受信され得る。ワイヤレス音声データモジュール９７０、他のデータモジュール９７２、および／または測位モジュール９７４は、衛星通信など、他のワイヤレス通信を受信するように構成されてもよい。トランスミッタおよびレシーバは、統合トランシーバデバイスであってよい。
【０１０８】
[00117]図１０は、電子デバイス１０８８内で利用され得る様々な構成要素を示す。図示されている構成要素は、同一の物理構造内にあってもよく、別々のハウジングまたは構造内にあってもよい。図１０に関連して説明される電子デバイス１０８８は、本明細書で説明されたＩＶＳ１０２、３０２、４０２、７０２、９０２、および／または端末８４４のうちの１つまたは複数に従って実装され得る。電子デバイス１０８８は、プロセッサ１０９６を含む。プロセッサ１０９６は、汎用のシングルまたはマルチチップマイクロプロセッサ（たとえばＡＲＭ）、専用マイクロプロセッサ（たとえばデジタル信号プロセッサ（ＤＳＰ））、マイクロコントローラ、プログラマブルゲートアレイなどであり得る。プロセッサ１０９６は、中央処理ユニット（ＣＰＵ）と呼ばれることがある。図１０の電子デバイス１０８８内にはただ１つのプロセッサ１０９６だけが示されているが、代替構成では、プロセッサの組合せ（たとえばＡＲＭとＤＳＰ）が使用され得る。
【０１０９】
[00118]電子デバイス１０８８は、プロセッサ１０９６と電子通信するメモリ１０９０も含む。すなわち、プロセッサ１０９６は、メモリ１０９０から情報を読み出し、および／またはメモリ１０９０に情報を書き込み得る。メモリ１０９０は、電子情報を記憶することの可能な任意の電子的構成要素であり得る。メモリ１０９０は、ランダムアクセスメモリ（ＲＡＭ）、読出し専用メモリ（ＲＯＭ）、磁気ディスク記憶媒体、光記憶媒体、ＲＡＭ内のフラッシュメモリデバイス、プロセッサとともに含まれるオンボードメモリ、プログラマブル読出し専用メモリ（ＰＲＯＭ）、消去可能プログラマブル読出し専用メモリ（ＥＰＲＯＭ）、電気的消去可能ＰＲＯＭ（ＥＥＰＲＯＭ）、レジスタなどであり、また、それらの組合せを含み得る。
【０１１０】
[00119]メモリ１０９０内に、データ１０９４ａおよび命令１０９２ａが記憶され得る。命令１０９２ａは、１つまたは複数のプログラム、ルーチン、サブルーチン、関数、プロシージャなどを含み得る。命令１０９２ａは、単一のコンピュータ可読ステートメントまたは多数のコンピュータ可読ステートメントを含み得る。命令１０９２ａは、上で説明された方法、関数、およびプロシージャのうちの１つまたは複数を実装するために、プロセッサ１０９６によって実行可能であり得る。命令１０９２ａの実行には、メモリ１０９０内に記憶されているデータ１０９４ａの使用が伴うことがある。図１０は、いくつかの命令１０９２ｂとデータ１０９４ｂとがプロセッサ１０９６内にロードされている様子（これは、命令１０９２ａおよびデータ１０９４ａに由来し得る）を示す。
【０１１１】
[00120]電子デバイス１０８８は、他の電子デバイスと通信するための１つまたは複数の通信インターフェース１０９８も含み得る。通信インターフェース１０９８は、有線通信技術、ワイヤレス通信技術、または両方に基づき得る。様々なタイプの通信インターフェース１０９８の例としては、シリアルポート、パラレルポート、ユニバーサルシリアルバス（ＵＳＢ）、イーサネット（登録商標）アダプタ、米国電気電子学会（ＩＥＥＥ）１３９４バスインターフェース、小型コンピュータシステムインターフェース（ＳＣＳＩ）バスインターフェース、赤外線（ＩＲ）通信ポート、Ｂｌｕｅｔｏｏｔｈワイヤレス通信アダプタ、第３世代パートナーシッププロジェクト（３ＧＰＰ）トランシーバ、ＩＥＥＥ８０２．１１（「Ｗｉ−Ｆｉ」）トランシーバなどがある。たとえば、通信インターフェース１０９８は、ワイヤレス信号を送信および受信するために、１つまたは複数のアンテナ（図示されていない）に結合され得る。
【０１１２】
[00121]電子デバイス１０８８はまた、１つまたは複数の入力デバイス１００１と、１つまたは複数の出力デバイス１００５とを含み得る。様々な種類の入力デバイス１００１の例としては、キーボード、マウス、マイクロホン、遠隔制御デバイス、ボタン、ジョイスティック、トラックボール、タッチパッド、ライトペンなどがある。たとえば、電子デバイス１０８８は、音響信号を捕捉するための１つまたは複数のマイクロホン１００３を含み得る。一構成では、マイクロホン１００３は、音響信号（たとえば音声、スピーチ）を電気信号または電子信号に変換するトランスデューサであり得る。様々な種類の出力デバイス１００５の例としては、スピーカ、プリンタなどがある。たとえば、電子デバイス１０８８は、１つまたは複数のスピーカ１００７を含み得る。一構成では、スピーカ１００７は、電気信号または電子信号を音響信号に変換するトランスデューサであり得る。電子デバイス１０８８内に含まれることも含まれないこともある、出力デバイスの特定の一タイプが、ディスプレイデバイス１００９である。本明細書に開示される構成で使用されるディスプレイデバイス１００９は、陰極線管（ＣＲＴ）、液晶ディスプレイ（ＬＣＤ）、発光ダイオード（ＬＥＤ）、ガスプラズマ、エレクトロルミネセンスなどのような、任意の適切な画像投影技術を利用し得る。オプションで、メモリ１０９０内に記憶されたデータを、ディスプレイデバイス１００９上に示されるテキスト、グラフィックス、および／または動画（適宜）に変換するために、ディスプレイコントローラ１０１１も設けられ得る。
【０１１３】
[00122]電子デバイス１０８８の様々な構成要素は、電力バス、制御信号バス、ステータス信号バス、データバスなどを含み得る１本または複数本のバスによって、互いに結合され得る。簡単にするために、様々なバスは図１０にバスシステム１０１３として示されている。図１０は、電子デバイス１０８８の可能な一構成を示しているにすぎないことに留意されたい。様々な他のアーキテクチャおよび構成要素が利用され得る。
【０１１４】
[00123]本明細書で説明された技法は、直交多重化方式に基づく通信システムを含む、様々な通信システムに使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、直交周波数分割多重化（ＯＦＤＭ）を利用し、これは、システム帯域幅全体を複数の直交サブキャリアに区分する変調技法である。これらのサブキャリアは、トーン、ビンなどと呼ばれることもある。ＯＦＤＭでは、各サブキャリアは独立してデータにより変調され得る。ＳＣ−ＦＤＭＡシステムは、システム帯域幅にわたって分散されたサブキャリア上で送信するためのインターリーブドＦＤＭＡ（ＩＦＤＭＡ）、隣接するサブキャリアのブロック上で送信するためのローカライズドＦＤＭＡ（ＬＦＤＭＡ）、または隣接するサブキャリアの複数のブロック上で送信するためのエンハンストＦＤＭＡ（ＥＦＤＭＡ）を利用し得る。一般に、変調シンボルは、ＯＦＤＭでは周波数領域で、ＳＣ−ＦＤＭＡでは時間領域で送られる。
【０１１５】
[00124]上の説明では、様々な用語とともに参照番号が時々使用されてきた。用語が参照番号とともに使用されている場合、これは、図のうちの１つまたは複数に示されている特定の要素を指すためのものであり得る。用語が参照番号なしで使用されている場合、これは、いずれかの特定の図に限定することなく、一般にその用語を指すためのものであり得る。
【０１１６】
[00125]「決定すること」という用語は、多種多様なアクションを包含し、したがって、「決定すること」は、計算すること、コンピューティングすること、処理すること、導出すること、調査すること、ルックアップすること（たとえばテーブル、データベース、または別のデータ構造内でルックアップすること）、確認することなどを含み得る。また、「決定すること」は、受け取ること（たとえば情報を受け取ること）、アクセスすること（たとえばメモリ内のデータにアクセスすること）などを含み得る。また、「決定すること」は、解決すること、選択すること、選ぶこと、確立することなどを含み得る。
【０１１７】
[00126]「〜に基づいて」という句は、別段の明示的な指定がない限り、「〜のみに基づいて」を意味するものではない。言い換えれば、「〜に基づいて」という句は、「〜のみに基づいて」と「少なくとも〜に基づいて」の両方を説明するものである。
【０１１８】
[00127]本明細書で説明された構成のうちのいずれか１つに関連して説明された特徴、機能、手順、構成要素、要素、構造などのうちの１つまたは複数は、本明細書で説明された他の構成のうちのいずれかに関連して説明された機能、手順、構成要素、要素、構造などのうちの１つまたは複数が適合する場合、それと組み合わされ得ることに留意されたい。言い換えれば、本明細書で説明された機能、手順、構成要素、要素などの任意の適合する組合せは、本明細書に開示されたシステムおよび方法に従って実施され得る。
【０１１９】
[00128]本明細書で説明された機能は、１つまたは複数の命令として、プロセッサ可読媒体またはコンピュータ可読媒体上に記憶され得る。「コンピュータ可読媒体」という用語は、コンピュータまたはプロセッサによってアクセスされ得る、任意の利用可能な媒体を指す。限定ではなく例として、そのような媒体は、ランダムアクセスメモリ（ＲＡＭ）、読出し専用メモリ（ＲＯＭ）、電気的消去可能プログラマブル読出し専用メモリ（ＥＥＰＲＯＭ）、フラッシュメモリ、コンパクトディスク読出し専用メモリ（ＣＤ−ＲＯＭ）もしくは他の光ディスクストレージ、磁気ディスクストレージもしくは他の磁気記憶デバイス、または命令もしくはデータ構造の形をとる所望のプログラムコードを記憶するために使用され得、コンピュータによってアクセスされ得る、任意の他の媒体を備え得る。ディスク（disk）およびディスク（disc）は、本明細書では、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ただし、ディスク（disk）は通常、データを磁気的に再生し、一方、ディスク（disc）はデータをレーザで光学的に再生する。コンピュータ可読媒体は、有形で非一時的であり得ることに留意されたい。「コンピュータプログラムプロダクト」という用語は、コンピューティングデバイスまたはプロセッサによって実行、処理、またはコンピューティングされ得るコードまたは命令（たとえば「プログラム」）と組み合わせた、コンピューティングデバイスまたはプロセッサを指す。本明細書では、「コード」という用語は、コンピューティングデバイスまたはプロセッサによって実行可能なソフトウェア、命令、コード、またはデータを指し得る。
【０１２０】
[00129]ソフトウェアまたは命令は、伝送媒体を経由して伝送されてもよい。たとえば、ソフトウェアがウェブサイト、サーバ、または他のリモートソースから、同軸ケーブル、光ファイバケーブル、ツイストペア、デジタル加入者回線（ＤＳＬ）、または赤外線、無線、およびマイクロ波などのワイヤレス技術を用いて伝送される場合、同軸ケーブル、光ファイバケーブル、ツイストペア、ＤＳＬ、または赤外線、無線、およびマイクロ波などのワイヤレス技術は、伝送媒体の定義に含まれる。
【０１２１】
[00130]本明細書に開示された方法は、説明された方法を達成するための１つまたは複数のステップまたはアクションを備える。方法のステップおよび／またはアクションは、特許請求の範囲に記載の範囲から逸脱することなく、互いに置き換えられ得る。言い換えれば、ステップまたはアクションの特定の順序が、説明されている方法の適正な動作に必要とされない限り、特定のステップおよび／またはアクションの順序および／または使用は、特許請求の範囲に記載の範囲から逸脱することなく修正され得る。
【０１２２】
[00131]特許請求の範囲は、上で示された正にその構成および構成要素に限定されないことを理解されたい。特許請求の範囲に記載の範囲から逸脱することなく、本明細書で説明されたシステム、方法、および装置の編成、動作、および詳細において、様々な修正、変更、および変形が加えられ得る。
【図１】
2017511986.tif 000003
【図２】
2017511986.tif 000004
【図３】
2017511986.tif 000005
【図４】
2017511986.tif 000006
【図５】
2017511986.tif 000007
【図６】
2017511986.tif 000008
【図７】
2017511986.tif 000009
【図８】
2017511986.tif 000010
【図９】
2017511986.tif 000011
【図１０】
2017511986.tif 000012
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
ビークル内システムによるパワーリセットシナリオにおけるタイマ継続のための方法であって、
パワーリセットを開始することと、
前記パワーリセットの前に緊急呼と関連付けられるタイマが稼働していたかどうかを決定することと、ここにおいて、前記緊急呼がｅＣａｌｌ、あるいはテストまたは再構成ｅＣａｌｌであり、前記タイマがＴ３２４２タイマまたはＴ３２４３タイマである、
前記パワーリセットの前に前記タイマが稼働していた場合に、タイマ使用を継続することと、
前記パワーリセットの前に前記タイマが稼働していた場合に、ネットワークに前記ビークル内システムを登録することと
を備える方法。
【請求項２】
前記パワーリセットの前に前記タイマが稼働していた場合に、ロケーションエリア更新手順を開始することをさらに備える請求項１に記載の方法。
【請求項３】
前記パワーリセットの前に前記タイマが稼働していた場合に、アイドル状態に入ることをさらに備える請求項１に記載の方法。
【請求項４】
タイマ使用を継続することは、以前に記憶されたタイマ値に基づいて前記タイマを再開させることを備える、請求項１に記載の方法。
【請求項５】
タイマ使用を継続することは、前記タイマを再始動させることを備える、請求項１に記載の方法。
【請求項６】
ビークル内システムであって、
パワーリセットの前に緊急呼と関連付けられるタイマが稼働していたかどうかを決定するタイマ制御回路と、ここにおいて、前記緊急呼がｅＣａｌｌ、あるいはテストまたは再構成ｅＣａｌｌであり、前記タイマがＴ３２４２タイマまたはＴ３２４３タイマである、
ここにおいて、前記タイマ制御回路は、前記パワーリセットの前に前記タイマが稼働していた場合に、タイマ使用を継続する、
前記タイマ制御回路に結合された通信制御回路と、ここにおいて、前記通信制御回路は、前記パワーリセットの前に前記タイマが稼働していた場合に、ネットワークに前記ビークル内システムを登録する、
を備えるビークル内システム。
【請求項７】
前記通信制御回路は、前記パワーリセットの前に前記タイマが稼働していた場合に、ロケーションエリア更新手順を開始する、請求項６に記載のビークル内システム。
【請求項８】
前記通信制御回路は、前記パワーリセットの前に前記タイマが稼働していた場合に、前記ビークル内システムをアイドル状態に入らせる、請求項６に記載のビークル内システム。
【請求項９】
タイマ使用を継続することは、以前に記憶されたタイマ値に基づいて前記タイマを再開させることを備える、請求項６に記載のビークル内システム。
【請求項１０】
タイマ使用を継続することが、前記タイマを再始動させることを備える、請求項６に記載のビークル内システム。
【請求項１１】
命令を有する一時的でない有形のコンピュータ可読媒体であって、前記命令は、
ビークル内システムにパワーリセットを開始させるためのコードと、
前記ビークル内システムに、前記パワーリセットの前に緊急呼と関連付けられるタイマが稼働していたかどうかを決定させるためのコードと、ここにおいて、前記緊急呼がｅＣａｌｌ、あるいはテストまたは再構成ｅＣａｌｌであり、前記タイマがＴ３２４２タイマまたはＴ３２４３タイマである、
前記ビークル内システムに、前記パワーリセットの前に前記タイマが稼働していた場合に、タイマ使用を継続させるためのコードと、
前記ビークル内システムに、前記パワーリセットの前に前記タイマが稼働していた場合に、ネットワークに前記ビークル内システムを登録させるためのコードと
を備える、一時的でない有形のコンピュータ可読媒体。
【請求項１２】
前記命令は、前記ビークル内システムに、前記パワーリセットの前に前記タイマが稼働していた場合に、ロケーションエリア更新手順を開始させるためのコードをさらに備える、請求項１１に記載の一時的でない有形のコンピュータ可読媒体。
【請求項１３】
前記命令は、前記パワーリセットの前に前記タイマが稼働していた場合に、前記ビークル内システムをアイドル状態に入らせるためのコードをさらに備える、請求項１１に記載の一時的でない有形のコンピュータ可読媒体。
【請求項１４】
タイマ使用を継続することは、以前に記憶されたタイマ値に基づいて前記タイマを再開させることを備える、請求項１１に記載の一時的でない有形のコンピュータ可読媒体。
【請求項１５】
タイマ使用を継続することは、前記タイマを再始動させることを備える、請求項１１に記載の一時的でない有形のコンピュータ可読媒体。
【請求項１６】
パワーリセットシナリオにおけるタイマ継続のための装置であって、
パワーリセットを開始するための手段と、
前記パワーリセットの前に緊急呼と関連付けられるタイマが稼働していたかどうかを決定するための手段と、ここにおいて、前記緊急呼がｅＣａｌｌ、あるいはテストまたは再構成ｅＣａｌｌであり、前記タイマがＴ３２４２タイマまたはＴ３２４３タイマである、
前記パワーリセットの前に前記タイマが稼働していた場合に、タイマ使用を継続するための手段と、
前記パワーリセットの前に前記タイマが稼働していた場合に、ネットワークに前記装置を登録するための手段と
を備える装置。
【請求項１７】
前記パワーリセットの前に前記タイマが稼働していた場合に、ロケーションエリア更新手順を開始するための手段をさらに備える請求項１６に記載の装置。
【請求項１８】
前記パワーリセットの前に前記タイマが稼働していた場合に、アイドル状態に入るための手段をさらに備える請求項１６に記載の装置。
【請求項１９】
タイマ使用を継続することは、以前に記憶されたタイマ値に基づいて前記タイマを再開させることを備える、請求項１６に記載の装置。
【請求項２０】
タイマ使用を継続することは、前記タイマを再始動させることを備える、請求項１６に記載の装置。
【手続補正２】
【補正対象書類名】明細書
【補正対象項目名】０１２２
【補正方法】変更
【補正の内容】
【０１２２】
[00131]特許請求の範囲は、上で示された正にその構成および構成要素に限定されないことを理解されたい。特許請求の範囲に記載の範囲から逸脱することなく、本明細書で説明されたシステム、方法、および装置の編成、動作、および詳細において、様々な修正、変更、および変形が加えられ得る。
以下に、本願出願の当初の特許請求の範囲に記載された発明を付記する。
［Ｃ１］
ビークル内システムによるパワーリセットシナリオにおけるタイマ継続のための方法であって、
パワーリセットを開始することと、
前記パワーリセットの前に緊急呼と関連付けられるタイマが稼働していたかどうかを決定することと、
前記パワーリセットの前に前記タイマが稼働していた場合に、タイマ使用を継続することと、
前記パワーリセットの前に前記タイマが稼働していた場合に、ネットワークに前記ビークル内システムを登録することと
を備える方法。
［Ｃ２］
前記パワーリセットの前に前記タイマが稼働していた場合に、ロケーションエリア更新手順を開始することをさらに備えるＣ１に記載の方法。
［Ｃ３］
前記パワーリセットの前に前記タイマが稼働していた場合に、アイドル状態に入ることをさらに備えるＣ１に記載の方法。
［Ｃ４］
前記緊急呼がｅＣａｌｌであり、前記タイマが前記ｅＣａｌｌのために始動される、Ｃ１に記載の方法。
［Ｃ５］
前記緊急呼がテストまたは再構成ｅＣａｌｌであり、前記タイマが前記テストまたは再構成ｅＣａｌｌのために始動される、Ｃ１に記載の方法。
［Ｃ６］
タイマ使用を継続することは、以前に記憶されたタイマ値に基づいて前記タイマを再開させることを備える、Ｃ１に記載の方法。
［Ｃ７］
タイマ使用を継続することは、前記タイマを再始動させることを備える、Ｃ１に記載の方法。
［Ｃ８］
ビークル内システムであって、
パワーリセットの前に緊急呼と関連付けられるタイマが稼働していたかどうかを決定するタイマ制御回路と、ここにおいて、前記タイマ制御回路は、前記パワーリセットの前に前記タイマが稼働していた場合に、タイマ使用を継続する、
前記タイマ制御回路に結合された通信制御回路と、ここにおいて、前記通信制御回路は、前記パワーリセットの前に前記タイマが稼働していた場合に、ネットワークに前記ビークル内システムを登録する、
を備えるビークル内システム。
［Ｃ９］
前記通信制御回路は、前記パワーリセットの前に前記タイマが稼働していた場合に、ロケーションエリア更新手順を開始する、Ｃ８に記載のビークル内システム。
［Ｃ１０］
前記通信制御回路は、前記パワーリセットの前に前記タイマが稼働していた場合に、前記ビークル内システムをアイドル状態に入らせる、Ｃ８に記載のビークル内システム。
［Ｃ１１］
前記緊急呼がｅＣａｌｌであり、前記タイマが前記ｅＣａｌｌのために始動される、Ｃ８に記載のビークル内システム。
［Ｃ１２］
前記緊急呼がテストまたは再構成ｅＣａｌｌであり、前記タイマが前記テストまたは再構成ｅＣａｌｌのために始動される、Ｃ８に記載のビークル内システム。
［Ｃ１３］
タイマ使用を継続することは、以前に記憶されたタイマ値に基づいて前記タイマを再開させることを備える、Ｃ８に記載のビークル内システム。
［Ｃ１４］
タイマ使用を継続することが、前記タイマを再始動させることを備える、Ｃ８に記載のビークル内システム。
［Ｃ１５］
パワーリセットシナリオにおけるタイマ継続のためのコンピュータプログラムプロダクトであって、命令を有する一時的でない有形のコンピュータ可読媒体を備え、前記命令は、
ビークル内システムにパワーリセットを開始させるためのコードと、
前記ビークル内システムに、前記パワーリセットの前に緊急呼と関連付けられるタイマが稼働していたかどうかを決定させるためのコードと、
前記ビークル内システムに、前記パワーリセットの前に前記タイマが稼働していた場合に、タイマ使用を継続させるためのコードと、
前記ビークル内システムに、前記パワーリセットの前に前記タイマが稼働していた場合に、ネットワークに前記ビークル内システムを登録させるためのコードと
を備える、コンピュータプログラムプロダクト。
［Ｃ１６］
前記命令は、前記ビークル内システムに、前記パワーリセットの前に前記タイマが稼働していた場合に、ロケーションエリア更新手順を開始させるためのコードをさらに備える、Ｃ１５に記載のコンピュータプログラムプロダクト。
［Ｃ１７］
前記命令は、前記パワーリセットの前に前記タイマが稼働していた場合に、前記ビークル内システムをアイドル状態に入らせるためのコードをさらに備える、Ｃ１５に記載のコンピュータプログラムプロダクト。
［Ｃ１８］
前記緊急呼がｅＣａｌｌであり、前記タイマが前記ｅＣａｌｌのために始動される、Ｃ１５に記載のコンピュータプログラムプロダクト。
［Ｃ１９］
前記緊急呼がテストまたは再構成ｅＣａｌｌであり、前記タイマが前記テストまたは再構成ｅＣａｌｌのために始動される、Ｃ１５に記載のコンピュータプログラムプロダクト。
［Ｃ２０］
タイマ使用を継続することは、以前に記憶されたタイマ値に基づいて前記タイマを再開させることを備える、Ｃ１５に記載のコンピュータプログラムプロダクト。
［Ｃ２１］
タイマ使用を継続することは、前記タイマを再始動させることを備える、Ｃ１５に記載のコンピュータプログラムプロダクト。
［Ｃ２２］
パワーリセットシナリオにおけるタイマ継続のための装置であって、
パワーリセットを開始するための手段と、
前記パワーリセットの前に緊急呼と関連付けられるタイマが稼働していたかどうかを決定するための手段と、
前記パワーリセットの前に前記タイマが稼働していた場合に、タイマ使用を継続するための手段と、
前記パワーリセットの前に前記タイマが稼働していた場合に、ネットワークに前記装置を登録するための手段と
を備える装置。
［Ｃ２３］
前記パワーリセットの前に前記タイマが稼働していた場合に、ロケーションエリア更新手順を開始するための手段をさらに備えるＣ２２に記載の装置。
［Ｃ２４］
前記パワーリセットの前に前記タイマが稼働していた場合に、アイドル状態に入るための手段をさらに備えるＣ２２に記載の装置。
［Ｃ２５］
前記緊急呼がｅＣａｌｌであり、前記タイマが前記ｅＣａｌｌのために始動される、Ｃ２２に記載の装置。
［Ｃ２６］
前記緊急呼がテストまたは再構成ｅＣａｌｌであり、前記タイマが前記テストまたは再構成ｅＣａｌｌのために始動される、Ｃ２２に記載の装置。
［Ｃ２７］
タイマ使用を継続することは、以前に記憶されたタイマ値に基づいて前記タイマを再開させることを備える、Ｃ２２に記載の装置。
［Ｃ２８］
タイマ使用を継続することは、前記タイマを再始動させることを備える、Ｃ２２に記載の装置。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
ビークル内システムによるパワーリセットシナリオにおけるタイマ継続のための方法であって、
パワーリセットを開始することと、
前記パワーリセットの前に緊急呼と関連付けられるタイマが稼働していたかどうかを決定することと、ここにおいて、前記緊急呼がｅＣａｌｌ、あるいはテストまたは再構成ｅＣａｌｌであり、前記タイマがＴ３２４２タイマまたはＴ３２４３タイマである、
前記パワーリセットの前に前記タイマが稼働していた場合に、タイマ使用を継続することと、
前記パワーリセットの前に前記タイマが稼働していた場合に、ネットワークに前記ビークル内システムを登録することと
を備える方法。
【請求項２】
前記パワーリセットの前に前記タイマが稼働していた場合に、ロケーションエリア更新手順を開始することをさらに備える請求項１に記載の方法。
【請求項３】
前記パワーリセットの前に前記タイマが稼働していた場合に、アイドル状態に入ることをさらに備える請求項１に記載の方法。
【請求項４】
タイマ使用を継続することは、以前に記憶されたタイマ値に基づいて前記タイマを再開させることを備える、請求項１に記載の方法。
【請求項５】
タイマ使用を継続することは、前記タイマを再始動させることを備える、請求項１に記載の方法。
【請求項６】
ビークル内システムであって、
パワーリセットの前に緊急呼と関連付けられるタイマが稼働していたかどうかを決定するタイマ制御回路と、ここにおいて、前記緊急呼がｅＣａｌｌ、あるいはテストまたは再構成ｅＣａｌｌであり、前記タイマがＴ３２４２タイマまたはＴ３２４３タイマである、
ここにおいて、前記タイマ制御回路は、前記パワーリセットの前に前記タイマが稼働していた場合に、タイマ使用を継続する、
前記タイマ制御回路に結合された通信制御回路と、ここにおいて、前記通信制御回路は、前記パワーリセットの前に前記タイマが稼働していた場合に、ネットワークに前記ビークル内システムを登録する、
を備えるビークル内システム。
【請求項７】
前記通信制御回路は、前記パワーリセットの前に前記タイマが稼働していた場合に、ロケーションエリア更新手順を開始する、請求項６に記載のビークル内システム。
【請求項８】
前記通信制御回路は、前記パワーリセットの前に前記タイマが稼働していた場合に、前記ビークル内システムをアイドル状態に入らせる、請求項６に記載のビークル内システム。
【請求項９】
タイマ使用を継続することは、以前に記憶されたタイマ値に基づいて前記タイマを再開させることを備える、請求項６に記載のビークル内システム。
【請求項１０】
タイマ使用を継続することが、前記タイマを再始動させることを備える、請求項６に記載のビークル内システム。
【請求項１１】
命令を記憶したコンピュータ可読記憶媒体であって、前記命令は、
ビークル内システムにパワーリセットを開始させるためのコードと、
前記ビークル内システムに、前記パワーリセットの前に緊急呼と関連付けられるタイマが稼働していたかどうかを決定させるためのコードと、ここにおいて、前記緊急呼がｅＣａｌｌ、あるいはテストまたは再構成ｅＣａｌｌであり、前記タイマがＴ３２４２タイマまたはＴ３２４３タイマである、
前記ビークル内システムに、前記パワーリセットの前に前記タイマが稼働していた場合に、タイマ使用を継続させるためのコードと、
前記ビークル内システムに、前記パワーリセットの前に前記タイマが稼働していた場合に、ネットワークに前記ビークル内システムを登録させるためのコードと
を備える、コンピュータ可読記憶媒体。
【請求項１２】
前記命令は、前記ビークル内システムに、前記パワーリセットの前に前記タイマが稼働していた場合に、ロケーションエリア更新手順を開始させるためのコードをさらに備える、請求項１１に記載のコンピュータ可読記憶媒体。
【請求項１３】
前記命令は、前記パワーリセットの前に前記タイマが稼働していた場合に、前記ビークル内システムをアイドル状態に入らせるためのコードをさらに備える、請求項１１に記載のコンピュータ可読記憶媒体。
【請求項１４】
タイマ使用を継続することは、以前に記憶されたタイマ値に基づいて前記タイマを再開させることを備える、請求項１１に記載のコンピュータ可読記憶媒体。
【請求項１５】
タイマ使用を継続することは、前記タイマを再始動させることを備える、請求項１１に記載のコンピュータ可読記憶媒体。
【請求項１６】
パワーリセットシナリオにおけるタイマ継続のための装置であって、
パワーリセットを開始するための手段と、
前記パワーリセットの前に緊急呼と関連付けられるタイマが稼働していたかどうかを決定するための手段と、ここにおいて、前記緊急呼がｅＣａｌｌ、あるいはテストまたは再構成ｅＣａｌｌであり、前記タイマがＴ３２４２タイマまたはＴ３２４３タイマである、
前記パワーリセットの前に前記タイマが稼働していた場合に、タイマ使用を継続するための手段と、
前記パワーリセットの前に前記タイマが稼働していた場合に、ネットワークに前記装置を登録するための手段と
を備える装置。
【請求項１７】
前記パワーリセットの前に前記タイマが稼働していた場合に、ロケーションエリア更新手順を開始するための手段をさらに備える請求項１６に記載の装置。
【請求項１８】
前記パワーリセットの前に前記タイマが稼働していた場合に、アイドル状態に入るための手段をさらに備える請求項１６に記載の装置。
【請求項１９】
タイマ使用を継続することは、以前に記憶されたタイマ値に基づいて前記タイマを再開させることを備える、請求項１６に記載の装置。
【請求項２０】
タイマ使用を継続することは、前記タイマを再始動させることを備える、請求項１６に記載の装置。
【国際調査報告】
2017511986.tif 000013
2017511986.tif 000014